(57)【特許請求の範囲】
【請求項１】
コンテンツを再生する権利である視聴権利を管理する権利管理装置と、前記コンテンツを配信する配信装置と、前記コンテンツを再生する再生装置と、前記権利管理装置および前記再生装置と通信可能な通信装置とを含むコンテンツ配信システムであって、
前記通信装置は、
前記視聴権利が取得された前記コンテンツを特定可能な視聴権利情報を管理する視聴権利管理手段と、
前記視聴権利管理手段で管理されている前記視聴権利情報を前記権利管理装置に提示する視聴権利提示手段とを備え、
前記権利管理装置は、
前記通信装置から前記視聴権利情報が提示されたことを条件として、前記コンテンツの視聴を許可することを示す視聴許可情報を前記通信装置に送信する視聴許可送信手段を備え、
前記通信装置は、さらに、
前記権利管理装置から前記視聴許可情報を受信する視聴許可受信手段と、
前記視聴許可受信手段によって前記視聴許可情報が受信されたことを条件として、前記コンテンツの視聴開始を指示する視聴開始情報を前記再生装置に送信する視聴開始送信手段とを備え、
前記再生装置は、
前記通信装置から前記視聴開始情報を受信する視聴開始受信手段と、
前記視聴開始受信手段によって前記視聴開始情報が受信されたことを条件として、前記配信装置から前記コンテンツを取得するコンテンツ取得手段と、
前記コンテンツ取得手段によって取得された前記コンテンツを再生するコンテンツ再生手段とを備え、
前記通信装置は、さらに、
前記再生装置を識別するための再生装置識別情報を前記再生装置から取得する再生装置識別情報取得手段を備え、
前記視聴権利提示手段は、前記再生装置識別情報取得手段によって取得された前記再生装置識別情報をさらに提示し、
前記権利管理装置は、さらに、
前記コンテンツを暗号化するコンテンツ鍵を暗号化するための鍵であり前記再生装置識別情報に対応する鍵であって公開鍵暗号方式の鍵である公開鍵を管理する公開鍵管理装置に、前記通信装置から提示された前記再生装置識別情報を含む公開鍵要求情報が前記権利管理装置によって送信されたことに応じて、前記公開鍵管理装置によって前記再生装置識別情報に対応した前記公開鍵が存在すると判断され当該公開鍵が前記権利管理装置に送信されることによって、前記通信装置から提示された前記再生装置識別情報が適正であるか否かを判別する再生装置識別情報判別手段を備え、
前記視聴許可送信手段は、前記再生装置識別情報判別手段によって前記再生装置識別情報が適正であると判別されたことを条件として、前記視聴許可情報を送信する、コンテンツ配信システム。
【請求項２】
前記権利管理装置は、さらに、
前記視聴権利情報を前記通信装置に提供する視聴権利提供手段と、
前記視聴権利提供手段によって前記通信装置に前記視聴権利情報が提供されることを条件として、前記通信装置のユーザに課金する課金手段とを備え、
前記視聴権利管理手段は、前記視聴権利提供手段によって提供された前記視聴権利情報を管理する、請求項１に記載のコンテンツ配信システム。
【請求項３】
前記配信装置は、さらに、
前記コンテンツ鍵で前記コンテンツを暗号化するコンテンツ暗号化手段を備え、
前記コンテンツ取得手段は、前記配信装置で暗号化された前記コンテンツを取得し、
前記権利管理装置は、さらに、
前記通信装置から前記視聴権利情報が提示されたことを条件として、前記コンテンツ鍵を前記通信装置に送信する第１コンテンツ鍵送信手段を備え、
前記通信装置は、さらに、
前記権利管理装置から前記コンテンツ鍵を受信する第１コンテンツ鍵受信手段と、
前記コンテンツ鍵受信手段によって受信された前記コンテンツ鍵を前記再生装置に送信する第２コンテンツ鍵送信手段とを備え、
前記再生装置は、さらに、
前記通信装置から前記コンテンツ鍵を受信する第２コンテンツ鍵受信手段と、
前記第２コンテンツ鍵受信手段によって受信された前記コンテンツ鍵で、前記コンテンツ取得手段によって取得された前記コンテンツを復号するコンテンツ復号手段とを備え、
前記コンテンツ再生手段は、前記コンテンツ復号手段によって復号された前記コンテンツを再生する、請求項１または請求項２に記載のコンテンツ配信システム。
【請求項４】
前記権利管理装置は、さらに、
前記公開鍵で前記コンテンツ鍵を暗号化する鍵暗号化手段を備え、
前記第１コンテンツ鍵送信手段は、前記鍵暗号化手段によって暗号化されたコンテンツ鍵を送信し、
前記再生装置は、さらに、
前記公開鍵に対応する秘密鍵を予め記憶する秘密鍵記憶手段と、
前記第２コンテンツ鍵受信手段によって受信された前記コンテンツ鍵を前記秘密鍵記憶手段に記憶された前記秘密鍵で復号する鍵復号手段とを備え、
前記コンテンツ復号手段は、前記鍵復号手段によって復号された前記コンテンツ鍵で、前記コンテンツを復号する、請求項３に記載のコンテンツ配信システム。
【請求項５】
前記コンテンツ配信システムは、前記再生装置を複数含み、
前記通信装置は、さらに、
前記コンテンツが再生されている前記再生装置の数を計数する再生装置計数手段と、
前記再生装置計数手段によって計数された前記再生装置の数が所定数に達しているか否かを判断する再生装置数判断手段とを備え、
前記視聴開始送信手段は、前記再生装置数判断手段によって前記再生装置の数が所定数に達していないと判断されたことを条件として、前記視聴開始情報を送信する、請求項１から請求項４までのいずれかに記載のコンテンツ配信システム。
【請求項６】
前記再生装置は、さらに、
前記コンテンツ取得手段によって前記コンテンツが取得されてから所定期間経過したことを条件として、前記コンテンツ再生手段による前記コンテンツの再生を禁止する再生禁止手段を備える、請求項１から請求項５までのいずれかに記載のコンテンツ配信システム。
【請求項７】
前記所定期間は、前記視聴開始受信手段によって前記視聴開始情報が受信されてから、前記コンテンツ再生手段によって前記コンテンツが再生し終えられるまでの期間である、請求項６に記載のコンテンツ配信システム。
【請求項８】
前記権利管理装置は、さらに、
前記視聴許可送信手段によって前記視聴許可情報が送信されるときに、視聴を許可する期間を決定する視聴許可期間決定手段を備え、
前記所定期間は、前記視聴許可期間決定手段によって決定された期間である、請求項６に記載のコンテンツ配信システム。
【請求項９】
前記視聴許可送信手段は、前記視聴許可情報に前記コンテンツのアドレス情報を含めて送信し、
前記視聴開始送信手段は、前記視聴許可情報に含まれる前記アドレス情報を前記視聴開始情報に含めて送信し、
前記コンテンツ取得手段は、前記視聴開始情報に含まれる前記アドレス情報で示される前記配信装置から前記コンテンツを取得する、請求項１から請求項８までのいずれかに記載のコンテンツ配信システム。
【請求項１０】
前記権利管理装置は、さらに、
前記通信装置から提示された前記視聴権利情報が適正であるか否かを判別する視聴権利判別手段を備え、
前記視聴許可送信手段は、前記視聴権利判別手段によって前記視聴権利情報が適正であると判別されたことをさらに条件として、前記視聴許可情報を送信する、請求項１から請求項９までのいずれかに記載のコンテンツ配信システム。
【請求項１１】
前記通信装置は、携帯電話である、請求項１から請求項１０までのいずれかに記載のコンテンツ配信システム。
【請求項１２】
前記通信装置は、セットトップボックスである、請求項１から請求項１０までのいずれかに記載のコンテンツ配信システム。
【請求項１３】
前記再生装置は、映像モニタである、請求項１から請求項１０までのいずれかに記載のコンテンツ配信システム。
【請求項１４】
前記再生装置は、映像モニタに映像出力可能なセットトップボックスである、請求項１から請求項１０までのいずれかに記載のコンテンツ配信システム。
【請求項１５】
コンテンツを再生する権利である視聴権利が取得された前記コンテンツを特定可能な視聴権利情報を管理する視聴権利管理手段と、
前記視聴権利管理手段で管理されている前記視聴権利情報を、前記視聴権利を管理する権利管理装置に提示する視聴権利提示手段と、
前記視聴権利提示手段から前記視聴権利情報が提示されたことを条件として前記権利管理装置から送信されてきた情報であって前記コンテンツの視聴を許可することを示す情報である視聴許可情報を受信する視聴許可受信手段と、
前記視聴許可受信手段によって前記視聴許可情報が受信されたことを条件として、前記コンテンツの視聴開始を指示する視聴開始情報を、前記コンテンツを再生する再生装置に送信する視聴開始送信手段とを備え、
前記視聴開始情報は、前記再生装置に送信されることを条件として、前記再生装置によって、前記コンテンツを配信する配信装置から前記コンテンツが取得され、取得された前記コンテンツが再生される情報であり、
前記再生装置を識別するための再生装置識別情報を前記再生装置から取得する再生装置識別情報取得手段をさらに備え、
前記視聴権利提示手段は、前記再生装置識別情報取得手段によって取得された前記再生装置識別情報をさらに提示し、
前記視聴許可情報は、前記コンテンツを暗号化するコンテンツ鍵を暗号化するための鍵であり前記再生装置識別情報に対応する鍵であって公開鍵暗号方式の鍵である公開鍵を管理する公開鍵管理装置に、前記通信装置から提示された前記再生装置識別情報を含む公開鍵要求情報が前記権利管理装置によって送信されたことに応じて、前記公開鍵管理装置によって前記再生装置識別情報に対応した前記公開鍵が存在すると判断され当該公開鍵が前記権利管理装置に送信されることによって、前記視聴権利提示手段によって提示された前記再生装置識別情報が適正であると判別されたことを条件として送信される、通信装置。
【請求項１６】
前記視聴権利管理手段は、該通信装置に提供されることを条件として該通信装置のユーザに課金される情報であって前記権利管理装置から提供された前記視聴権利情報を管理する、請求項１５に記載の通信装置。
【請求項１７】
該通信装置から前記権利管理装置に前記視聴権利情報が提示されたことを条件として前記権利管理装置から送信されてきた前記コンテンツ鍵を受信するコンテンツ鍵受信手段と、
前記コンテンツ鍵受信手段によって受信された前記コンテンツ鍵を前記再生装置に送信するコンテンツ鍵送信手段とをさらに備え、
前記配信装置によって前記コンテンツ鍵で暗号化され前記再生装置によって取得された前記コンテンツは、前記再生装置によって、受信された前記コンテンツ鍵で復号され、再生される、請求項１５または請求項１６に記載の通信装置。
【請求項１８】
前記再生装置は、複数あり、
前記コンテンツが再生されている前記再生装置の数を計数する再生装置計数手段と、
前記再生装置計数手段によって計数された前記再生装置の数が所定数に達しているか否かを判断する再生装置数判断手段とを備え、
前記視聴開始送信手段は、前記再生装置数判断手段によって前記再生装置の数が所定数に達していないと判断されたことを条件として、前記視聴開始情報を前記再生装置に送信する、請求項１５から請求項１７までのいずれかに記載の通信装置。
【請求項１９】
前記視聴開始送信手段は、前記権利管理装置から送信されてきた前記視聴許可情報に含まれる前記コンテンツのアドレス情報を前記視聴開始情報に含めて送信し、
前記コンテンツは、前記再生装置によって、前記視聴開始送信手段によって送信された前記視聴開始情報に含まれる前記アドレス情報で示される前記配信装置から取得される、請求項１５から請求項１８までのいずれかに記載の通信装置。
【請求項２０】
コンテンツを再生する権利である視聴権利が取得されたコンテンツを特定可能な視聴権利情報を管理する通信装置によって、管理されている前記視聴権利情報が、前記視聴権利を管理する権利管理装置に提示されたことを条件として、前記コンテンツの視聴を許可することを示す視聴許可情報が前記通信装置に送信され、前記通信装置によって前記視聴許可情報が受信されたことを条件として送信されてきた前記コンテンツの視聴開始を指示する視聴開始情報を受信する視聴開始受信手段と、
前記視聴開始受信手段によって前記視聴開始情報が受信されたことを条件として、前記コンテンツを配信する配信装置から前記コンテンツを取得するコンテンツ取得手段と、
前記コンテンツ取得手段によって取得された前記コンテンツを再生するコンテンツ再生手段とを備え、
前記視聴許可情報は、前記コンテンツを暗号化するコンテンツ鍵を暗号化するための鍵であり前記再生装置を識別するための再生装置識別情報に対応する鍵であって公開鍵暗号方式の鍵である公開鍵を管理する公開鍵管理装置に、前記通信装置によって前記再生装置から取得され前記視聴権利情報とともに前記通信装置から提示された前記再生装置識別情報を含む公開鍵要求情報が前記権利管理装置によって送信されたことに応じて、前記公開鍵管理装置によって前記再生装置識別情報に対応した前記公開鍵が存在すると判断され当該公開鍵が前記権利管理装置に送信されることによって、前記権利管理装置に提示された前記再生装置識別情報が適正であると判別されたことを条件として送信される、再生装置。
【請求項２１】
前記コンテンツ取得手段は、前記配信装置によって前記コンテンツ鍵で暗号化された前記コンテンツを取得し、
前記通信装置から前記権利管理装置に前記視聴権利情報が提示されたことを条件として前記権利管理装置から前記通信装置を介して前記再生装置に送信されてきた前記コンテンツ鍵を受信するコンテンツ鍵受信手段と、
前記コンテンツ鍵受信手段によって受信された前記コンテンツ鍵で、前記コンテンツ取得手段によって取得された前記コンテンツを復号するコンテンツ復号手段とを備え、
前記コンテンツ再生手段は、前記コンテンツ復号手段によって復号された前記コンテンツを再生する、請求項２０に記載の再生装置。
【請求項２２】
前記コンテンツ鍵は、前記権利管理装置によって、前記公開鍵で暗号化され、前記再生装置に送信され、
前記公開鍵に対応する秘密鍵を予め記憶する秘密鍵記憶手段と、
前記コンテンツ鍵受信手段によって受信された前記コンテンツ鍵を前記秘密鍵記憶手段に記憶された前記秘密鍵で復号する鍵復号手段とをさらに備え、
前記コンテンツ復号手段は、前記鍵復号手段によって復号された前記コンテンツ鍵で、前記コンテンツを復号する、請求項２１に記載の再生装置。
【請求項２３】
前記コンテンツ取得手段によって前記コンテンツが取得されてから所定時間経過したことを条件として、前記コンテンツ再生手段による前記コンテンツの再生を禁止する再生禁止手段をさらに備える、請求項２０から請求項２２までのいずれかに記載の再生装置。
【請求項２４】
前記所定期間は、前記視聴開始受信手段によって前記視聴開始情報が受信されてから、前記コンテンツ再生手段によって前記コンテンツが再生し終えられるまでの期間である、請求項２３に記載の再生装置。
【請求項２５】
前記コンテンツ取得手段は、前記権利管理装置から送信されてきた前記視聴許可情報に含まれる前記アドレス情報を含む情報であって前記通信装置から送信されてきた前記視聴開始情報に含まれる前記アドレス情報で示される前記配信装置から前記コンテンツを取得する、請求項２０から請求項２４までのいずれかに記載の再生装置。
【請求項２６】
コンテンツを再生する権利である視聴権利が取得されたコンテンツを特定可能な視聴権利情報を通信装置に提供する視聴権利提供手段と、
前記視聴権利提供手段によって提供され前記通信装置によって管理されている前記視聴権利情報が前記通信装置から提示されたことを条件として、前記コンテンツの視聴を許可することを示す視聴許可情報を前記通信装置に送信する視聴許可送信手段とを備え、
前記視聴許可情報は、前記通信装置によって受信されることを条件として、前記コンテンツの視聴開始を指示する視聴開始情報が、前記コンテンツを再生する再生装置に送信される情報であり、
前記視聴開始情報は、前記再生装置によって受信されることを条件として、前記コンテンツを配信する配信装置から前記コンテンツが取得され、取得された前記コンテンツが再生される情報であり、
前記通信装置によって前記再生装置から取得されて前記通信装置から提示された情報であって前記再生装置を識別するための再生装置識別情報に対応する鍵であって前記コンテンツを暗号化するコンテンツ鍵を暗号化するための鍵であり公開鍵暗号方式の鍵である公開鍵を管理する公開鍵管理装置に、前記通信装置から提示された前記再生装置識別情報を含む公開鍵要求情報が送信されたことに応じて、前記公開鍵管理装置によって前記再生装置識別情報に対応した前記公開鍵が存在すると判断され当該公開鍵が送信されてくることによって、前記通信装置から提示された前記再生装置識別情報が適正であるか否かを判別する再生装置識別情報判別手段をさらに備え、
前記視聴許可送信手段は、前記再生装置識別情報判別手段によって前記再生装置識別情報が適正であると判別されたことを条件として、前記視聴許可情報を送信する、権利管理装置。
【請求項２７】
前記視聴権利情報を前記通信装置に提供する視聴権利提供手段と、
前記視聴権利提供手段によって前記通信装置に前記視聴権利情報が提供されることを条件として、前記通信装置のユーザに課金する課金手段とをさらに備え、
前記視聴権利提供手段によって提供された前記視聴権利情報は、前記通信装置によって管理される、請求項２６に記載の権利管理装置。
【請求項２８】
前記通信装置から前記視聴権利情報が提示されたことを条件として、前記コンテンツ鍵を前記通信装置に送信するコンテンツ鍵送信手段をさらに備え、
前記コンテンツは、前記配信装置によって、前記コンテンツ鍵で暗号化され、
前記コンテンツ鍵は、前記通信装置によって、受信されて、前記再生装置に送信され、
暗号化された前記コンテンツは、前記再生装置によって、前記配信装置から取得され、前記通信装置から受信された前記コンテンツ鍵で復号され、再生される、請求項２６または請求項２７に記載の権利管理装置。
【請求項２９】
前記公開鍵で前記コンテンツ鍵を暗号化する鍵暗号化手段をさらに備え、
前記コンテンツ鍵送信手段は、前記鍵暗号化手段によって暗号化されたコンテンツ鍵を前記通信装置に送信し、
前記鍵暗号化手段によって暗号化された前記コンテンツ鍵は、前記再生装置によって、前記通信装置を介して受信され、前記公開鍵に対応する予め前記再生装置に記憶された秘密鍵で復号され、
前記コンテンツは、前記再生装置によって、復号された前記コンテンツ鍵で復号される、請求項２８に記載の権利管理装置。
【請求項３０】
前記視聴許可送信手段によって前記視聴許可情報が送信されるときに、視聴を許可する期間を決定する視聴許可期間決定手段をさらに備え、
前記コンテンツは、前記再生装置によって、取得されてから前記視聴許可期間決定手段によって決定された所定期間経過したことを条件として、再生が禁止される、請求項２６から請求項２９までのいずれかに記載の権利管理装置。
【請求項３１】
前記視聴許可送信手段は、前記視聴許可情報に前記コンテンツのアドレス情報を含めて送信し、
前記視聴許可情報に含まれる前記アドレス情報は、前記通信装置によって、前記視聴開始情報に含められて送信され、
前記コンテンツは、前記再生装置によって、前記視聴開始情報に含まれる前記アドレス情報で示される前記配信装置から取得される、請求項２６から請求項３０までのいずれかに記載の権利管理装置。
【請求項３２】
前記通信装置から提示された前記視聴権利情報が適正であるか否かを判別する視聴権利判別手段をさらに備え、
前記視聴許可送信手段は、前記視聴権利判別手段によって前記視聴権利情報が適正であると判別されたことをさらに条件として、前記視聴許可情報を送信する、請求項２６から請求項３１までのいずれかに記載の権利管理装置。
【発明の詳細な説明】
【技術分野】
【０００１】
本発明は、コンテンツ配信システム、通信装置、再生装置、および、権利管理装置に関し、特に、コンテンツを配信するのに適したコンテンツ配信システム、通信装置、再生装置、および、権利管理装置に関する。
【背景技術】
【０００２】
映画や音楽などのコンテンツをネットワーク上に配信する際にコンテンツの著作権保護を行なう仕組みとしてＤＲＭ（Digital Rights Management、ディジタル権利管理）があ、特に携帯電話やＰＤＡ（Personal Digital Assistance）などのモバイル機器を用いる場合の仕組みとしてモバイル通信の業界団体ＯｐｅｎＭｏｂｉｌｅＡｌｌｉａｎｃｅ（以下、「ＯＭＡ」という）が規定する「ＤＲＭ  Ｓｐｅｃｉｆｉｃａｔｉｏｎ  Ｃａｎｄｉｄａｔｅ  Ｖｅｒｓｉｏｎ２．０」（たとえば、非特許文献１参照）という規格がある。
【０００３】
非特許文献１には、コンテンツを扱うデバイスを信頼できるサブネットワークにグループ化し、これに属するデバイスを一括して共通の権利を同時に付与するドメインという仕組みが開示されている。利用者は映画コンテンツの視聴権利を購入する際に、そのユーザが普段利用する身の回りのテレビやＰＣ（Personal Computer）などの機器をドメインとすることで、購入された視聴権利はドメイン登録した身の回りの全ての機器で利用が可能となる。
【非特許文献１】”ＤＲＭ  Ｓｐｅｃｉｆｉｃａｔｉｏｎ  Ｃａｎｄｉｄａｔｅ  Ｖｅｒｓｉｏｎ２．０”、［ｏｎｌｉｎｅ］、２００５年９月１５日、ＯｐｅｎＭｏｂｉｌｅＡｌｌｉａｎｃｅ、ｐ．６２−６６、インターネット（ＵＲＬ：http://www.openmobilealliance.org/release_program/docs/DRM/V2_0-20050915-C/OMA-TS-DRM-DRM-V2_0-20050915-C.pdf）
【発明の開示】
【発明が解決しようとする課題】
【０００４】
しかしながら、非特許文献１に記載のドメインでは、ユーザが新たにコピープロテクトなどの著作権保護の仕組みを有するテレビを購入した場合、それ以前に購入した視聴権利のドメインに新規購入のテレビは含まれていないため、新しいテレビでは視聴することができないという問題があった。また、ユーザが旅行をした先で泊まるホテルのテレビなどは、そのテレビがコピープロテクトなどの著作権保護の仕組みを持っていたとしても、視聴権利を購入する段階ではユーザを把握できないためドメインに含めることができず、結果としてコンテンツの視聴権利を所持していてもコピープロテクトなどの著作権保護の仕組みを有するテレビで視聴できない問題があった。つまり、ユーザが視聴権利を取得しているコンテンツであってもどこでも視聴できないといった問題があった。
【０００５】
この発明は上述の問題点を解決するためになされたもので、この発明の目的は、ユーザが視聴権利を取得したコンテンツをどの再生装置でも再生することが可能なコンテンツ配信システム、通信装置、再生装置、および、権利管理装置を提供することである。
【課題を解決するための手段】
【０００６】
上述の目的を達成するために、この発明のある局面によれば、コンテンツ配信システムは、コンテンツを再生する権利である視聴権利を管理する権利管理装置と、コンテンツを配信する配信装置と、コンテンツを再生する再生装置と、権利管理装置および再生装置と通信可能な通信装置とを含む。
【０００７】
通信装置は、視聴権利管理部と、視聴権利提示部とを備える。視聴権利管理部は、視聴権利が取得されたコンテンツを特定可能な視聴権利情報を管理する。視聴権利提示部は、視聴権利管理部で管理されている視聴権利情報を権利管理装置に提示する。
【０００８】
権利管理装置は、視聴許可送信部を備える。視聴許可送信部は、通信装置から視聴権利情報が提示されたことを条件として、コンテンツの視聴を許可することを示す視聴許可情報を通信装置に送信する。
【０００９】
通信装置は、さらに、視聴許可受信部と、視聴開始送信部とを備える。視聴許可受信部は、権利管理装置から視聴許可情報を受信する。視聴開始送信部は、視聴許可受信部によって視聴許可情報が受信されたことを条件として、コンテンツの視聴開始を指示する視聴開始情報を再生装置に送信する。
【００１０】
再生装置は、視聴開始受信部と、コンテンツ取得部と、コンテンツ再生部とを備える。視聴開始受信部は、通信装置から視聴開始情報を受信する。コンテンツ取得部は、視聴開始受信部によって視聴開始情報が受信されたことを条件として、配信装置からコンテンツを取得する。コンテンツ再生部は、コンテンツ取得部によって取得されたコンテンツを再生する。
通信装置は、さらに、再生装置識別情報取得部を備える。再生装置識別情報取得部は、再生装置を識別するための再生装置識別情報を再生装置から取得する。視聴権利提示部は、再生装置識別情報取得部によって取得された再生装置識別情報をさらに提示する。
権利管理装置は、さらに、再生装置識別情報判別部を備える。再生装置識別情報判別部は、コンテンツを暗号化するコンテンツ鍵を暗号化するための鍵であり再生装置識別情報に対応する鍵であって公開鍵暗号方式の鍵である公開鍵を管理する公開鍵管理装置に、通信装置から提示された再生装置識別情報を含む公開鍵要求情報が権利管理装置によって送信されたことに応じて、公開鍵管理装置によって再生装置識別情報に対応した公開鍵が存在すると判断され当該公開鍵が権利管理装置に送信されることによって、通信装置から提示された再生装置識別情報が適正であるか否かを判別する。視聴許可送信部は、再生装置識別情報判別部によって再生装置識別情報が適正であると判別されたことを条件として、視聴許可情報を送信する。
【００１１】
この発明に従えば、通信装置によって、視聴権利が取得されたコンテンツを特定可能な視聴権利情報が管理され、管理されている視聴管理情報が権利管理装置に提示される。権利管理装置によって、通信装置から視聴権利情報が提示されたことを条件として、コンテンツの視聴を許可することを示す視聴許可情報が通信装置に送信される。
【００１２】
通信装置によって、視聴許可情報が受信されたことを条件として、コンテンツの視聴開始を指示する視聴開始情報が再生装置に送信される。再生装置によって、視聴開始情報が受信されたことを条件として、配信装置から取得されたコンテンツが再生される。
また、通信装置によって、再生装置から取得された再生装置識別情報がさらに権利管理装置に提示される。権利管理装置によって、コンテンツを暗号化するコンテンツ鍵を暗号化するための鍵であり再生装置識別情報に対応する鍵であって公開鍵暗号方式の鍵である公開鍵を管理する公開鍵管理装置に、通信装置から提示された再生装置識別情報を含む公開鍵要求情報が権利管理装置によって送信されたことに応じて、公開鍵管理装置によって再生装置識別情報に対応した公開鍵が存在すると判断され当該公開鍵が権利管理装置に送信されることによって、通信装置から提示された再生装置識別情報が適正であるか否かが判別され、適正であると判別されたことを条件として、視聴許可情報が通信装置に送信される。
【００１３】
このため、コンテンツの視聴権利が取得されていれば、このシステムのどの再生装置であっても、そのコンテンツを再生することができる。その結果、ユーザが視聴権利を取得したコンテンツをどの再生装置でも再生することが可能なコンテンツ配信システムを提供することができる。
また、再生装置が適正であるときにのみ視聴が許可される。その結果、適正な再生装置でのみコンテンツを再生可能とすることができる。
【００１４】
好ましくは、権利管理装置は、さらに、視聴権利提供部と、課金部とを備える。視聴権利提供部は、視聴権利情報を通信装置に提供する。課金部は、視聴権利提供部によって通信装置に視聴権利情報が提供されることを条件として、通信装置のユーザに課金する。視聴権利管理部は、権利管理装置から提供された視聴権利情報を管理する。
【００１５】
この発明に従えば、ユーザへの視聴権利の提供に対してユーザに課金をすることが可能となる。
【００１６】
好ましくは、配信装置は、さらに、コンテンツ暗号化部を備える。コンテンツ暗号化部は、コンテンツ鍵でコンテンツを暗号化する。コンテンツ取得部は、配信装置で暗号化されたコンテンツを取得する。
【００１７】
権利管理装置は、さらに、第１コンテンツ鍵送信部を備える。第１コンテンツ鍵送信部は、通信装置から視聴権利情報が提示されたことを条件として、コンテンツ鍵を通信装置に送信する。通信装置は、さらに、第１コンテンツ鍵受信部と、第２コンテンツ鍵送信部とを備える。第１コンテンツ鍵受信部は、権利管理装置からコンテンツ鍵を受信する。第２コンテンツ鍵送信部は、コンテンツ鍵受信部によって受信されたコンテンツ鍵を再生装置に送信する。
【００１８】
再生装置は、さらに、第２コンテンツ鍵受信部と、コンテンツ復号部とを備える。第２コンテンツ鍵受信部は、通信装置からコンテンツ鍵を受信する。コンテンツ復号部は、第２コンテンツ鍵受信部によって受信されたコンテンツ鍵で、コンテンツ取得部によって取得されたコンテンツを復号する。コンテンツ再生部は、コンテンツ復号部によって復号されたコンテンツを再生する。
【００１９】
この発明に従えば、配信装置によって、コンテンツ鍵でコンテンツが暗号化される。権利管理装置によって、通信装置から視聴権利情報が提示されたことを条件として、コンテンツ鍵が通信装置に送信される。通信装置によって、受信されたコンテンツ鍵が再生装置に送信される。
【００２０】
再生装置によって、配信装置で暗号化されたコンテンツが取得され、通信装置からコンテンツ鍵が受信され、受信されたコンテンツ鍵で、取得されたコンテンツが復号され、復号されたコンテンツが再生される。
【００２１】
このため、通信装置を介してコンテンツ鍵が取得されない限り、再生装置でコンテンツを復号して再生することができないようにすることができる。その結果、配信装置と再生装置との間のコンテンツのセキュリティを向上させることができる。また、視聴権利の管理をより厳重にすることができる。
【００２２】
好ましくは、権利管理装置は、さらに、鍵暗号化部を備える。鍵暗号化部は、公開鍵でコンテンツ鍵を暗号化する。第１コンテンツ鍵送信部は、鍵暗号化部によって暗号化されたコンテンツ鍵を送信する。
【００２３】
再生装置は、さらに、秘密鍵記憶部と、鍵復号部とを備える。秘密鍵記憶部は、公開鍵に対応する秘密鍵を予め記憶する。鍵復号部は、第２コンテンツ鍵受信部によって受信されたコンテンツ鍵を秘密鍵記憶部に記憶された秘密鍵で復号する。コンテンツ復号部は、鍵復号部によって復号されたコンテンツ鍵で、コンテンツを復号する。
【００２４】
この発明に従えば、権利管理装置によって、公開鍵でコンテンツ鍵が暗号化され、暗号化されたコンテンツ鍵が送信される。再生装置によって、公開鍵に対応する予め記憶された秘密鍵で、受信されたコンテンツ鍵が復号され、復号されたコンテンツ鍵で、コンテンツが復号される。
【００２５】
このため、コンテンツを復号するコンテンツ鍵がやり取りされるときの秘匿性をさらに向上させることができる。
【００３４】
好ましくは、コンテンツ配信システムは、再生装置を複数含む。通信装置は、さらに、再生装置計数部と、再生装置数判断部とを備える。再生装置計数部は、コンテンツが再生されている再生装置の数を計数する。再生装置数判断部は、再生装置計数部によって計数された再生装置の数が所定数に達しているか否かを判断する。視聴開始送信部は、再生装置数判断部によって再生装置の数が所定数に達していないと判断されたことを条件として、視聴開始情報を送信する。
【００３５】
この発明に従えば、通信装置によって、コンテンツが再生されている再生装置の数が計数され、計数された再生装置の数が所定数に達しているか否かが判断され、所定数に達していないと判断されたことを条件として、視聴開始情報が送信される。
【００３６】
このため、予め契約で定められた最大同時接続数を所定数とすることによって、最大同時接続数までの再生装置でコンテンツの再生をすることが可能なコンテンツ配信システムを提供できる。
【００３７】
好ましくは、再生装置は、さらに、再生禁止部を備える。再生禁止部は、コンテンツ取得部によってコンテンツが取得されてから所定期間経過したことを条件として、コンテンツ再生部によるコンテンツの再生を禁止する。
【００３８】
この発明に従えば、再生装置によって、コンテンツが取得されてから所定期間経過したことを条件として、コンテンツの再生が禁止される。このため、所定期間コンテンツをレンタルするようなコンテンツ配信システムを提供できる。
【００３９】
好ましくは、所定期間は、視聴開始受信部によって視聴開始情報が受信されてから、コンテンツ再生部によってコンテンツが再生し終えられるまでの期間である。
【００４０】
好ましくは、権利管理装置は、さらに、視聴許可送信部によって視聴許可情報が送信されるときに、視聴を許可する期間を決定する視聴許可期間決定部を備える。所定期間は、視聴許可期間決定部によって決定された期間である。
【００４１】
好ましくは、視聴許可送信部は、視聴許可情報にコンテンツのアドレス情報を含めて送信する。視聴開始送信部は、視聴許可情報に含まれるアドレス情報を視聴開始情報に含めて送信する。コンテンツ取得部は、視聴開始情報に含まれるアドレス情報で示される配信装置からコンテンツを取得する。
【００４２】
この発明に従えば、権利管理装置によって、視聴許可情報にコンテンツのアドレス情報が含められて通信装置に送信される。通信装置によって、視聴許可情報に含まれるアドレス情報が視聴開始情報に含められて再生装置に送信される。再生装置によって、視聴開始情報に含まれるアドレス情報で示される配信装置からコンテンツが取得される。
【００４３】
このため、視聴許可を取得する段階で配信装置のアドレス情報が取得されるので、配信装置のアドレス情報が予め特定されていなくても、コンテンツが取得されるようにできる。また、配信装置の負荷状況やコンテンツの種類などに応じて流動的に配信装置を変更することができる。
【００４４】
好ましくは、権利管理装置は、さらに、視聴権利判別部を備える。視聴権利判別部は、通信装置から提示された視聴権利情報が適正であるか否かを判別する。視聴許可送信部は、視聴権利判別部によって視聴権利情報が適正であると判別されたことをさらに条件として、視聴許可情報を送信する。
【００４５】
この発明に従えば、権利管理装置によって、通信装置から提示された視聴権利情報が適正であるか否かが判別され、適正であると判別されたことをさらに条件として、視聴許可情報が通信装置に送信される。
【００４６】
このため、不正な視聴権利情報が提示された場合には、視聴許可を与えないようにすることができる。その結果、さらに厳重に視聴権利を管理することが可能となる。
【００４７】
好ましくは、通信装置は、携帯電話である。
好ましくは、通信装置は、セットトップボックスである。
【００４８】
好ましくは、再生装置は、映像モニタである。
好ましくは、再生装置は、映像モニタに映像出力可能なセットトップボックスである。
【００４９】
この発明の他の局面によれば、通信装置は、視聴権利管理部と、視聴権利提示部と、視聴許可受信部と、視聴開始送信部とを備える。視聴権利管理部は、コンテンツを再生する権利である視聴権利が取得されたコンテンツを特定可能な視聴権利情報を管理する。視聴権利提示部は、視聴権利管理部で管理されている視聴権利情報を、視聴権利を管理する権利管理装置に提示する。
【００５０】
視聴許可受信部は、視聴権利提示部から視聴権利情報が提示されたことを条件として権利管理装置から送信されてきた情報であってコンテンツの視聴を許可することを示す情報である視聴許可情報を受信する。視聴開始送信部は、視聴許可受信部によって視聴許可情報が受信されたことを条件として、コンテンツの視聴開始を指示する視聴開始情報を、コンテンツを再生する再生装置に送信する。
【００５１】
視聴開始情報は、再生装置に送信されることを条件として、再生装置によって、コンテンツを配信する配信装置からコンテンツが取得され、取得されたコンテンツが再生される情報である。
通信装置は、さらに、再生装置識別情報取得部を備える。再生装置識別情報取得部は、再生装置を識別するための再生装置識別情報を再生装置から取得する。視聴権利提示部は、再生装置識別情報取得部によって取得された再生装置識別情報をさらに提示する。
視聴許可情報は、コンテンツを暗号化するコンテンツ鍵を暗号化するための鍵であり再生装置識別情報に対応する鍵であって公開鍵暗号方式の鍵である公開鍵を管理する公開鍵管理装置に、通信装置から提示された再生装置識別情報を含む公開鍵要求情報が権利管理装置によって送信されたことに応じて、公開鍵管理装置によって再生装置識別情報に対応した公開鍵が存在すると判断され当該公開鍵が権利管理装置に送信されることによって、視聴権利提示部によって提示された再生装置識別情報が適正であると判別されたことを条件として送信される。
【００５２】
この発明に従えば、通信装置によって、コンテンツを再生する権利である視聴権利が取得されたコンテンツを特定可能な視聴権利情報が管理され、管理されている視聴権利情報が、視聴権利を管理する権利管理装置に提示され、視聴権利情報が提示されたことを条件として権利管理装置から送信されてきた情報であってコンテンツの視聴を許可することを示す情報である視聴許可情報が受信されたことを条件として、コンテンツの視聴開始を指示する視聴開始情報が、コンテンツを再生する再生装置に送信される。再生装置によって、視聴開始情報が受信されることを条件として、コンテンツを配信する配信装置からコンテンツが取得され、取得されたコンテンツが再生される。
通信装置によって、再生装置を識別するための再生装置識別情報が再生装置から取得され、取得された再生装置識別情報がさらに提示される。
コンテンツを暗号化するコンテンツ鍵を暗号化するための鍵であり再生装置識別情報に対応する鍵であって公開鍵暗号方式の鍵である公開鍵を管理する公開鍵管理装置に、通信装置から提示された再生装置識別情報を含む公開鍵要求情報が権利管理装置によって送信されたことに応じて、公開鍵管理装置によって再生装置識別情報に対応した公開鍵が存在すると判断され当該公開鍵が権利管理装置に送信されることによって、通信装置によって提示された再生装置識別情報が適正であると判別されたことを条件として、権利管理装置によって視聴許可情報が送信される。
【００５３】
このため、コンテンツの視聴権利が取得されていれば、どの再生装置であっても、そのコンテンツを再生することができる。その結果、ユーザが視聴権利を取得したコンテンツをどの再生装置でも再生することが可能な通信装置を提供することができる。
また、再生装置が適正であるときにのみ視聴が許可される。その結果、適正な再生装置でのみコンテンツを再生可能とすることができる。
【００５４】
この発明のさらに他の局面によれば、再生装置は、視聴開始受信部と、コンテンツ取得部と、コンテンツ再生部とを備える。
【００５５】
視聴開始受信部は、コンテンツを再生する権利である視聴権利が取得されたコンテンツを特定可能な視聴権利情報を管理する通信装置によって、管理されている視聴権利情報が、視聴権利を管理する権利管理装置に提示されたことを条件として、コンテンツの視聴を許可することを示す視聴許可情報が通信装置に送信され、通信装置によって視聴許可情報が受信されたことを条件として送信されてきたコンテンツの視聴開始を指示する視聴開始情報を受信する。
【００５６】
コンテンツ取得部は、視聴開始受信部によって視聴開始情報が受信されたことを条件として、コンテンツを配信する配信装置からコンテンツを取得する。コンテンツ再生部は、コンテンツ取得部によって取得されたコンテンツを再生する。
視聴許可情報は、コンテンツを暗号化するコンテンツ鍵を暗号化するための鍵であり再生装置を識別するための再生装置識別情報に対応する鍵であって公開鍵暗号方式の鍵である公開鍵を管理する公開鍵管理装置に、通信装置によって再生装置から取得され視聴権利情報とともに通信装置から提示された再生装置識別情報を含む公開鍵要求情報が権利管理装置によって送信されたことに応じて、公開鍵管理装置によって再生装置識別情報に対応した公開鍵が存在すると判断され当該公開鍵が権利管理装置に送信されることによって、権利管理装置に提示された再生装置識別情報が適正であると判別されたことを条件として送信される。
【００５７】
この発明に従えば、再生装置によって、コンテンツを再生する権利である視聴権利が取得されたコンテンツを特定可能な視聴権利情報を管理する通信装置によって、管理されている視聴権利情報が、権利管理装置に提示されたことを条件として、コンテンツの視聴を許可することを示す視聴許可情報が通信装置に送信され、通信装置によって視聴許可情報が受信されたことを条件として送信されてきたコンテンツの視聴開始を指示する視聴開始情報が受信されたことを条件として、コンテンツを配信する配信装置からコンテンツが取得され、取得されたコンテンツが再生される。
コンテンツを暗号化するコンテンツ鍵を暗号化するための鍵であり再生装置を識別するための再生装置識別情報に対応する鍵であって公開鍵暗号方式の鍵である公開鍵を管理する公開鍵管理装置に、通信装置によって再生装置から取得され視聴権利情報とともに通信装置から提示された再生装置識別情報を含む公開鍵要求情報が権利管理装置によって送信されたことに応じて、公開鍵管理装置によって再生装置識別情報に対応した公開鍵が存在すると判断され当該公開鍵が権利管理装置に送信されることによって、権利管理装置に提示された再生装置識別情報が適正であると判別されたことを条件として、権利管理装置によって視聴許可情報が送信される。
【００５８】
このため、コンテンツの視聴権利が取得されていれば、どの再生装置であっても、そのコンテンツを再生することができる。その結果、ユーザが視聴権利を取得したコンテンツをどの再生装置でも再生することが可能な再生装置を提供することができる。
また、再生装置が適正であるときにのみ視聴が許可される。その結果、適正な再生装置でのみコンテンツを再生可能とすることができる。
【００５９】
この発明のさらに他の局面によれば、権利管理装置は、視聴権利提供部と、視聴許可送信部とを備える。視聴権利提供部は、コンテンツを再生する権利である視聴権利が取得されたコンテンツを特定可能な視聴権利情報を通信装置に提供する。視聴許可送信部は、視聴権利提供部によって提供され通信装置によって管理されている視聴権利情報が通信装置から提示されたことを条件として、コンテンツの視聴を許可することを示す視聴許可情報を通信装置に送信する。
【００６０】
視聴許可情報は、通信装置によって受信されることを条件として、コンテンツの視聴開始を指示する視聴開始情報が、コンテンツを再生する再生装置に送信される情報である。視聴開始情報は、再生装置によって受信されることを条件として、コンテンツを配信する配信装置からコンテンツが取得され、取得されたコンテンツが再生される情報である。
権利管理装置は、さらに、再生装置識別情報判別部を備える。再生装置識別情報判別部は、通信装置によって再生装置から取得されて通信装置から提示された情報であって再生装置を識別するための再生装置識別情報に対応する鍵であってコンテンツを暗号化するコンテンツ鍵を暗号化するための鍵であり公開鍵暗号方式の鍵である公開鍵を管理する公開鍵管理装置に、通信装置から提示された再生装置識別情報を含む公開鍵要求情報が送信されたことに応じて、公開鍵管理装置によって再生装置識別情報に対応した公開鍵が存在すると判断され当該公開鍵が送信されてくることによって、通信装置から提示された再生装置識別情報が適正であるか否かを判別する。
視聴許可送信部は、再生装置識別情報判別部によって再生装置識別情報が適正であると判別されたことを条件として、視聴許可情報を送信する。
【００６１】
この発明に従えば、権利管理装置によって、コンテンツを再生する権利である視聴権利が取得されたコンテンツを特定可能な視聴権利情報が通信装置に提供され、提供され通信装置によって管理されている視聴権利情報が通信装置から提示されたことを条件として、コンテンツの視聴を許可することを示す視聴許可情報が通信装置に送信される。
【００６２】
通信装置によって、視聴許可情報が受信されることを条件として、コンテンツの視聴開始を支持する視聴開始情報が、再生装置に送信され、再生装置によって、視聴開始情報が受信されることを条件として、配信装置からコンテンツが取得され、取得されたコンテンツが再生される。
権利管理装置によって、通信装置によって再生装置から取得されて通信装置から提示された情報であって再生装置を識別するための再生装置識別情報に対応する鍵であってコンテンツを暗号化するコンテンツ鍵を暗号化するための鍵であり公開鍵暗号方式の鍵である公開鍵を管理する公開鍵管理装置に、通信装置から提示された再生装置識別情報を含む公開鍵要求情報が送信されたことに応じて、公開鍵管理装置によって再生装置識別情報に対応した公開鍵が存在すると判断され当該公開鍵が送信されてくることによって、通信装置から提示された再生装置識別情報が適正であるか否かが判別され、適正であると判別されたことを条件として、視聴許可情報が送信される。
【００６３】
このため、コンテンツの視聴権利が取得されていれば、どの再生装置であっても、そのコンテンツを再生することができる。その結果、ユーザが視聴権利を取得したコンテンツをどの再生装置でも再生することが可能な権利管理装置を提供することができる。
また、再生装置が適正であるときにのみ視聴が許可される。その結果、適正な再生装置でのみコンテンツを再生可能とすることができる。
【発明を実施するための最良の形態】
【００６４】
以下、本発明の実施の形態について図面を参照して説明する。なお、図中同一符号は、同一または相当する部材を示し、重複する説明は繰返さない。
【００６５】
［第１の実施の形態］
図１は、本発明の第１の実施の形態におけるコンテンツ配信システム１０の構成を示すブロック図である。
【００６６】
図１を参照して、コンテンツ配信システム１０は、通信装置１０１が用いられてコンテンツ配信局１０３から視聴権利が取得され、コンテンツ再生機器１０２にその視聴権利が提供されることでコンテンツが視聴可能とされるシステムである。このコンテンツ配信システム１０は、通信装置１０１と、コンテンツ再生機器１０２と、コンテンツ配信局１０３と、機器証明局１０４とを含む。
【００６７】
なお、コンテンツとは、映画、音楽、演劇、文芸、写真、漫画、アニメーション、コンピュータゲームその他の文字、図形、色彩、音声、動作若しくは映像若しくはこれらを組み合わせたもの又はこれらに係る情報を電子計算機を介して提供するためのプログラムであって、人間の創造的活動により生み出されるもののうち、教養又は娯楽の範囲に属するものをいう。ここで、プログラムとは、電子計算機に対する指令であって、一の結果を得ることができるように組み合わせたものをいう。本実施の形態において、コンテンツは、たとえば、映画や音楽やゲームなどのソフトウェアやデータを含む。
【００６８】
通信装置１０１は、コンテンツの提供者であるコンテンツ配信局１０３とコンテンツを再生するコンテンツ再生機器１０２との間を仲介する役割を果たす。通信装置１０１は、少なくとも、制御部１０５と、第１通信部１０６と、第２通信部１０７、権利管理部１０８とを含む。
【００６９】
コンテンツ再生機器１０２は、コンテンツを再生する役割を果たす。コンテンツ再生装置１０２は、少なくとも、第２通信部１０９と、第３通信部１１０と、秘密鍵管理部１１１と、再生処理部１１２とを含む。
【００７０】
コンテンツ配信局１０３は、コンテンツの視聴権利とデータを提供する役割を果たす。コンテンツ配信局１０３は、少なくとも、視聴権利サーバ１１３と、コンテンツサーバ１１４とを含む。
【００７１】
機器証明局１０４は、コンテンツ再生機器１０２を証明する役割を果たす。機器証明局１０４は、少なくとも、公開鍵サーバ１１５を含む。
【００７２】
（通信装置１０１の各部の働き）
制御部１０５は、入出力処理や視聴権利購入時の課金処理を行なう役割を果たす。入出力処理は、キーボードやボタンやマイクなどによるユーザからの操作を受付けたり、表示パネルやＬＥＤ（Light Emitting Diode）ランプなどにより表示したりする処理である。
【００７３】
第１通信部１０６は、携帯電話網などのセキュアな回線を利用して、コンテンツ配信局１０３と通信処理を行なう役割を果たす。
【００７４】
第２通信部１０７は、マンションや家庭内に敷かれたＬＡＮ（Local Area Network）や近距離無線通信技術を用いたＰＡＮ（Personal Area Network）などを利用して、コンテンツ再生機器１０２と通信処理を行なう役割を果たす。
【００７５】
権利管理部１０８は、コンテンツの視聴権利の情報を管理する役割を果たす。なお、その視聴権利の情報は、コンテンツを視聴できる期間や、同時に視聴可能な契約数や、その情報の正当性を確認するための権利コードなどを含む。また、その視聴権利の情報が、さらに、コンテンツデータをダウンロードする際に必要となるＵＲＩ（Uniform Resource Identifier）情報や、コンテンツデータに施された暗号化を解除するための鍵に関する情報を含むようにしてもよい。
【００７６】
（コンテンツ再生機器１０２の各部の働き）
第２通信部１０９は、マンションや家庭内に敷かれたＬＡＮや近距離無線通信技術を用いたＰＡＮなどを利用して、通信装置１０１と通信処理を行なう役割を果たす。
【００７７】
第３通信部１１０はインターネットなどの通信網を利用して、コンテンツ配信局１０３と通信処理を行なう役割を果たす。
【００７８】
秘密鍵管理部１１１は、コンテンツ再生機器ＩＤ（Identification Data）と秘密鍵とを記憶する役割、および、その秘密鍵を利用して与えられたデータの復号処理を行なう役割を果たす。
【００７９】
コンテンツ再生機器ＩＤとは、コンテンツ再生機器１０２の製造過程で与えられるコンテンツ再生機器１０２を特定するためのＩＤをいう。秘密鍵は、同じく製造過程で与えられる公開鍵暗号系の鍵である。
【００８０】
再生処理部１１２は、暗号化されているコンテンツデータの復号処理を行ない、コンテンツ再生機器１０２が備える液晶パネルなどの表示装置にコンテンツを表示する、またはコンテンツ再生機器１０２が備える外部出力端子にコンテンツの再生信号を出力し、コンテンツ再生機器１０２に接続されるモニタ１１８にコンテンツを表示する役割を果たす。コンテンツ再生機器１０２に接続されるモニタ１１８は複数であってもよい。
【００８１】
（コンテンツ配信局１０３の各部の働き）
視聴権利サーバ１１３は、権利コードとコンテンツ鍵とを管理する役割を果たす。権利コードとは、コンテンツ配信局１０３が所有する映画や音楽などの視聴する権利を示すコードをいう。コンテンツ鍵は、コンテンツデータに施された暗号化を解くための鍵である。
【００８２】
また、視聴権利サーバ１１３は、携帯電話網などのセキュアな回線を利用して通信装置１０１と通信する機能と、専用回線などのセキュアな回線を利用して機器証明局１０４と通信する機能とを有し、通信装置１０１に権利コードを提供する役割を果たす。また、視聴権利サーバ１１３は、コンテンツの利用料金を通信装置１０１に課金する役割を果たす。
【００８３】
さらに、視聴権利サーバ１１３は、コンテンツ再生機器１０２が持つ公開鍵暗号系の秘密鍵に対応する公開鍵を機器証明局１０４より取得し、その公開鍵で暗号化したコンテンツ鍵を通信装置１０１に提供する役割を果たす。
【００８４】
コンテンツサーバ１１４は、コンテンツ配信局１０３が所有する映画や音楽などのコンテンツデータを管理する役割を果たす。また、コンテンツサーバ１１４は、インターネットなどの通信網を利用してコンテンツ再生機器１０２と通信処理を行なう役割を果たす。また、コンテンツサーバ１１４は、コンテンツをコンテンツ鍵で暗号化してコンテンツ再生機器１０２に提供する役割を果たす。
【００８５】
（機器証明局１０４の各部の働き）
公開鍵サーバ１１５は、専用回線などのセキュアな回線を利用してコンテンツ配信局１０３と通信する機能を有する。公開鍵サーバ１１５は、コンテンツ再生機器ＩＤと、前述の秘密鍵に対応する公開鍵とをセットにして記憶する。
【００８６】
また、公開鍵サーバ１１５は、コンテンツ配信局１０３からコンテンツ再生機器ＩＤを提示された際に、そのコンテンツ再生機器ＩＤに対応する公開鍵の情報をコンテンツ配信局１０３に提供する役割を果たす。
【００８７】
（コンテンツの視聴権利の購入手順）
次に、本発明の実施の形態における、ユーザが通信装置１０１を利用してコンテンツ配信局１０３からコンテンツの視聴権利を購入する手順について図２を用いて説明する。
【００８８】
図２は、第１の実施の形態における通信装置１０１で実行される視聴権利購入処理、および、コンテンツ配信局１０３で実行される視聴権利販売処理の流れを示すフローチャートである。
【００８９】
通信装置１０１を携帯電話１０１Ａ、コンテンツ再生機器１０２をテレビ１０２Ａとして説明を行なうことにする。
【００９０】
図２を参照して、携帯電話１０１Ａの制御部１０５は、ステップＳ１０１で、携帯電話１０１Ａが備えるボタンまたはマイクなどの入力装置がユーザによって操作されることによって、コンテンツの視聴権利を購入する操作をユーザから受付けたか否かを判断する。コンテンツの視聴権利の購入操作を受付けていないと判断した場合（ステップＳ１０１でＮＯの場合）、制御部１０５は、ステップＳ１０１の処理を繰返す。
【００９１】
一方、コンテンツの視聴権利の購入操作を受付けたと判断した場合（ステップＳ１０１でＹＥＳの場合）、制御部１０５は、ステップＳ１０２で、コンテンツ配信局１０３と接続処理を行ない、コンテンツ配信局１０３の視聴権利サーバ１１３からコンテンツ配信局１０３が提供可能なコンテンツの一覧表を取得し、ステップＳ１０３で、携帯電話１０１Ａが備える液晶パネルなどの出力装置にコンテンツの一覧表を表示する。
【００９２】
【表１】
0004846537.tif 000002
【００９３】
表１は、コンテンツ配信局１０３から提供されるコンテンツ一覧表である。表中の×は、コンテンツ配信局１０３がサービスをしていないことを示す。コンテンツ一覧表は、コンテンツ配信局１０３が提供可能なそれぞれのコンテンツについての情報であり、コンテンツを特定するためのコンテンツＩＤと、映画タイトルや楽曲名を示すコンテンツ名、コンテンツを利用する際にかかる利用料金、他のコンテンツとの関連情報などの情報を含む。
【００９４】
コンテンツの利用料金には、一時的に期間限定で視聴できるレンタル料金と永続的に視聴が可能な購入料金とが考えられる。また、販売促進用のコマーシャルコンテンツなど利用料金が無料に設定されているものも考えられる。
【００９５】
他のコンテンツとの関連情報には、ユーザに更なるコンテンツの購入をして貰うために、そのコンテンツに対して関連が深い他のコンテンツのＩＤが設定されている。例えば、販売促進用の映画のコマーシャルコンテンツには、ユーザがそのＣＭを見て気に入った際に映画本編の方のコンテンツを購入できるように、本編のコンテンツＩＤを関連付けておくことで、ユーザがコンテンツ一覧表の中から本編のコンテンツを探す必要がないようにすることが可能である。また、同じ映画監督の作品などを関連付けしておくことで、ユーザが気に入った映画監督の別の作品の購入をお薦めしたりすることが可能である。これによって、コンテンツ配信局１０３から提供される膨大なコンテンツ一覧表の中からユーザが所望のコンテンツを探す手間を省く効果が期待できる。
【００９６】
制御部１０５は、ステップＳ１０４で、表示されたコンテンツの一覧表の中から所望のコンテンツの選択をユーザから受付けたか否かを判断する。コンテンツの選択を受付けたと判断すると（ステップＳ１０４でＹＥＳと判断すると）、ステップＳ１０５で、携帯電話１０１Ａの制御部１０５は、コンテンツ配信局１０３にコンテンツ購入要求フレームを送信する。
【００９７】
【表２】
0004846537.tif 000003
【００９８】
表２は、コンテンツ購入要求フレームの内容を示す。コンテンツ購入要求フレームは、携帯電話１０１Ａが第１通信部１０６を用いてコンテンツ配信局１０３の視聴権利サーバ１１３に対して送信する情報であり、少なくとも、コンテンツの視聴権利を購入しようとする携帯電話１０１Ａを特定するための通信装置ＩＤと、購入したいコンテンツを特定するためのコンテンツＩＤとを含む。
【００９９】
フレーム識別の欄の内容が「０１」であることは、このフレームが「要求」するフレームであることを示す。また、コマンド種別の欄の内容が「１１」であることは、このフレームが「レンタル」に関するフレームであることを示す。つまり、表２のコンテンツ購入要求フレームは、「レンタル」を「要求」するフレームである。また、レングス長の欄の内容が「１４」であることは、このフレームのデータの長さが「１４」バイトであることを示す。
【０１００】
コンテンツの視聴権利の用途には、主に期間限定で視聴できるレンタル用途と、永続的に視聴が可能なセル用途が存在する。レンタル用途の場合には、コンテンツ購入要求フレームは、更に、視聴可能な期間を示す情報を含む。期間の欄の内容が「０３」であることは、「レンタル」の期間が３日であることを示す。なお、コンテンツの視聴権利を購入する際に、コンテンツ利用料が発生する場合は、通信装置ＩＤの情報を基に課金処理がなされる。
【０１０１】
課金方法としては、次に示す形態が考えられる。携帯電話網の場合は、携帯電話１０１Ａとコンテンツ配信局１０３との間に携帯電話会社が介在するようにする。そして、携帯電話会社が、管理する携帯電話１０１Ａに付与された固有の識別ＩＤを基に、データ通話料の一部としてコンテンツ利用料をコンテンツ配信局１０３に代わって徴収する。この場合、ユーザは、月々の携帯電話料金にコンテンツ利用料が上乗せされた料金を支払うことになる。このため、利用する際に、コンテンツ配信局１０３に料金を支払うために新規口座を開設するなどの煩わしい手続きが必要ないというメリットがある。
【０１０２】
コンテンツ配信局１０３の視聴権利サーバ１１３の制御部は、ステップＳ３０１で、携帯電話１０１Ａからコンテンツ購入要求フレームを受信したか否かを判断する。コンテンツ購入要求フレームを受信していないと判断した場合（ステップＳ３０１でＮＯの場合）、視聴権利サーバ１１３の制御部は、ステップＳ３０１の処理を繰返す。
【０１０３】
一方、コンテンツ購入要求フレームを受信したと判断した場合（ステップＳ３０１でＹＥＳの場合）、視聴権利サーバ１１３の制御部は、ステップＳ３０２で、受信したコンテンツ購入要求フレームに含まれる通信装置ＩＤで示される携帯電話１０１Ａに対してコンテンツ利用料金の課金処理を行なうとともに、ステップＳ３０３で、携帯電話１０１Ａの通信装置ＩＤを基に権利コードを生成し、ステップＳ３０４で、この権利コードを含むコンテンツ購入受付フレームをその携帯電話１０１Ａに対して送信する。ステップＳ３０４の後、視聴権利サーバ１１３の制御部は、実行する処理をステップＳ３０１の処理に戻す。
【０１０４】
なお、権利コードは、コンテンツと携帯電話１０１Ａの通信装置ＩＤより一意に決まる情報であり、その携帯電話１０１Ａが所定のコンテンツを購入したことを証明するための情報である。
【０１０５】
【表３】
0004846537.tif 000004
【０１０６】
表３は、コンテンツ購入受付フレームの内容を示す。コンテンツ購入受付フレームは、コンテンツ配信局１０３の視聴権利サーバ１１３が携帯電話１０１Ａに対して送信する情報であり、少なくとも、購入したコンテンツを特定するためのコンテンツＩＤと、視聴権利の購入を証明する権利コードとを含む。
【０１０７】
フレーム識別の欄の内容が「０２」であることは、このフレームが「受付」するフレームであることを示す。つまり、表３のコンテンツ受付フレームは、「レンタル」を「受付」するフレームである。
【０１０８】
携帯電話１０１Ａの制御部１０５は、ステップＳ１０６で、コンテンツ配信局１０３からコンテンツ購入受付フレームを受信したか否かを判断する。コンテンツ購入受付フレームを受信していないと判断した場合（ステップＳ１０６でＮＯの場合）、制御部１０５は、ステップＳ１０６の処理を繰返す。一方、コンテンツ購入受付フレームを受信したと判断すると（ステップＳ１０６でＹＥＳと判断すると）、ステップＳ１０７で、制御部１０５は、そのフレームに含まれる権利コードなどの情報を権利管理部１０８に記憶させる。ステップＳ１０７の後、制御部１０５は、実行する処理をステップＳ１０１の処理に戻す。
【０１０９】
以上の手順により、ユーザが携帯電話１０１Ａを利用してコンテンツ配信局１０３からコンテンツの視聴権利を購入することが可能である。
【０１１０】
（コンテンツの視聴権利の入手の例）
次に、本発明の実施の形態における、コンテンツの視聴権利を入手する手順の例について図３から図５を用いて説明する。ここでは、コンテンツが映画のデータである場合について説明する。
【０１１１】
図３は、提供コンテンツのリスト情報をビデオサーバ１０３Ａから取得するケースを説明するための図である。
【０１１２】
図３を参照して、コンテンツ配信システム１０Ａは、通信装置１０１として携帯電話１０１Ａを含み、コンテンツ再生機器１０２としてテレビ１０２Ａを含み、コンテンツ配信局１０３としてビデオサーバ１０３Ａを含み、機器証明局１０４としてテレビ製造元会社のサーバ１０４Ａを含む。
【０１１３】
（１）（以下、図中の丸付き数字をかっこ付き数字で示す）ユーザが、ビデオサーバ１０３Ａが提供しているコンテンツのリストを示す提供コンテンツのリスト情報の取得を希望して、リスト情報の取得を携帯電話１０１Ａに指示する（図２のステップＳ１０１に相当）。
【０１１４】
（２）（３）携帯電話１０１Ａは、たとえば、ウェブ機能によって、ネットワーク上に設けられたビデオサーバ１０３Ａに接続し、提供コンテンツのリスト情報をビデオサーバ１０３Ａから取得する（図２のステップＳ１０２に相当）。
【０１１５】
ビデオサーバ１０３Ａのコンテンツには、いつでも提供できる様に蓄積されているものや、ライブ放送の様にその場でしか提供できないものや、ニュース放送のように一定期間提供されるものなどが考えられる。
【０１１６】
（４）提供コンテンツのリスト情報は、携帯電話１０１Ａの表示パネルに表示され（図２のステップＳ１０３に相当）、ユーザは、その中から視聴したい映画を選ぶことができる。ユーザが、視聴したい映画を選択する（図２のステップＳ１０４に相当）。
【０１１７】
（５）その視聴したい映画を特定する情報が、ビデオサーバ１０３Ａ側に伝えられる（図２のステップＳ１０５およびステップＳ３０１に相当）。
【０１１８】
（６）視聴したい映画の権利コードが、携帯電話１０１Ａに送られてくる（図２のステップＳ３０４およびステップＳ１０６に相当）。
【０１１９】
なお、ビデオサーバ１０３Ａを管理している所が、オンラインのビデオレンタルショップである場合は、映画の視聴料金が設定されており、権利コードを得る代わりに携帯電話１０１Ａに対して課金の処理がなされる。コンテンツの提供には有料のものに限らず無料のものもあり、その場合は課金処理されない。
【０１２０】
また、広告宣伝のようなコンテンツで、コンテンツを見れば逆にお金や景品がもらえるものも考えられる。図４は、提供コンテンツのリスト情報を広告サーバ１１６Ａから取得するケースを説明するための図である。
【０１２１】
図４を参照して、コンテンツ配信システム１０Ｂは、通信装置１０１として携帯電話１０１Ａを含み、コンテンツ再生機器１０２としてテレビ１０２Ａを含み、コンテンツ配信局１０３としてビデオサーバ１０３Ａを含み、機器証明局１０４としてテレビ製造元会社のサーバ１０４Ａを含み、さらに、広告サーバ１１６Ａを含む。
【０１２２】
（１）ユーザがオンラインビデオレンタル店に携帯電話１０１Ａのメールアドレスを登録しておくと、広告サーバ１１６Ａからビデオサーバが提供しているコンテンツのリスト情報や、お薦めのコンテンツの情報が携帯メールで送られてくる。
【０１２３】
（２）ユーザは、携帯メールを見て気に入った映画を選択する（図２のステップＳ１０４に相当）。
【０１２４】
（３）（４）携帯電話１０１Ａは、ビデオサーバ１０３Ａと接続し、選択された映画の視聴権利を取得する（図２のステップＳ１０５からステップＳ１０７まで、および、ステップＳ３０１からステップＳ３０４までに相当）。
【０１２５】
図５は、コンテンツの視聴権利が、直接、携帯電話１０１Ａに送られてくるケースを説明するための図である。
【０１２６】
図５を参照して、コンテンツ配信システム１０Ｃは、通信装置１０１として携帯電話１０１Ａを含み、コンテンツ再生機器１０２としてテレビ１０２Ａを含み、コンテンツ配信局１０３としてビデオサーバ１０３Ａを含み、機器証明局１０４としてテレビ製造元会社のサーバ１０４Ａを含み、さらに、広告サーバ１１６Ｂを含む。
【０１２７】
（１）ユーザが、放送局に携帯電話１０１Ａのメールアドレスを登録しておくと、ある一定時間毎に更新されるニュース番組の視聴権利が広告サーバ１１６Ｂから携帯電話１０１Ａにメールで送られてくるようにする。
【０１２８】
（２）そして、送られてきた視聴権利を権利管理部１０８にて管理するようにする（図２のステップＳ１０７に相当）。
【０１２９】
このケースは、株価や天気予報などの情報にある程度のリアルタイム性が求められるコンテンツの他に、新作映画の広告用コンテンツなど無料で配布されるコンテンツを提供する場合に特に有効である。
【０１３０】
（コンテンツの再生の手順）
次に、本発明の実施の形態における、購入済みのコンテンツの視聴権利を用いてコンテンツ再生機器１０２でコンテンツを再生するための手順について図６および図７を用いて説明する。
【０１３１】
図６は、第１の実施の形態におけるコンテンツ配信システム１０で実行されるコンテンツの再生のための処理の流れを示す第１のフローチャートである。図７は、第１の実施の形態におけるコンテンツ配信システム１０で実行されるコンテンツの再生のための処理の流れを示す第２のフローチャートである。
【０１３２】
図６および図７を参照して、携帯電話１０１Ａの制御部１０５は、ステップＳ１１１で、携帯電話１０１Ａが備える液晶パネルなどの出力装置に、図２で説明した視聴権利購入処理のステップＳ１０７で権利管理部１０８に記憶された視聴権利に関する情報をリスト表示する。
【０１３３】
次に、ステップＳ１１２で、制御部１０５は、携帯電話１０１Ａが備えるボタンまたはマイクなどの入力装置がユーザによって操作されることによって、視聴権利に関する情報のうちのいずれかが選択されたか否かを判断する。視聴権利に関する情報のいずれも選択されていないと判断した場合（ステップＳ１１２でＮＯの場合）、制御部１０５は、ステップＳ１１２の処理を繰返す。
【０１３４】
一方、携帯電話１０１Ａに記憶されたコンテンツの視聴権利に関する情報のいずれかが選択されたと判断した場合（ステップＳ１１２でＹＥＳの場合）、ステップＳ１１３で、制御部１０５は、視聴に用いるテレビ１０２Ａの選択の確認を行なう。そして、ステップＳ１１４で、制御部１０５は、テレビ１０２Ａの選択が確認されたか否かを判断する。
【０１３５】
テレビ１０２Ａの選択が確認されていないと判断した場合（ステップＳ１１４でＮＯの場合）、制御部１０５は、ステップＳ１１４の処理を繰返す。一方、テレビ１０２Ａの選択が確認されたと判断した場合（ステップＳ１１４でＹＥＳの場合）、制御部１０５は、ステップＳ１１５で、選択されたテレビ１０２Ａと接続処理を行ない、接続処理後、コンテンツ再生機器ＩＤ要求フレームをテレビ１０２Ａに送信する。
【０１３６】
【表４】
0004846537.tif 000005
【０１３７】
表４は、携帯電話１０１Ａからテレビ１０２Ａに送信されるコンテンツ再生機器ＩＤ要求フレームの内容を示す。コンテンツ再生機器ＩＤ要求フレームは、携帯電話１０１Ａがテレビ１０２Ａを特定するためのコンテンツ再生機器ＩＤを知るために送信されるフレームである。
【０１３８】
コマンド種別の欄の内容が「２１」であることは、このフレームがコンテンツ再生機器ＩＤに関するフレームであることを示す。つまり、表４の再生機器ＩＤ要求フレームは、コンテンツ再生機器ＩＤを要求するフレームである。このフレームは、フレーム種別、コマンド種別、および、レングス長のそれぞれの欄からなるヘッダ以外にデータを含まない。このため、レングス長は０バイトである。
【０１３９】
テレビ１０２Ａでは、テレビ１０２Ａの制御部は、ステップＳ２１１で、携帯電話１０１Ａからコンテンツ再生機器ＩＤ要求フレームを受信したか否かを判断する。コンテンツ再生機器ＩＤ要求フレームを受信していないと判断した場合（ステップＳ２１１でＮＯの場合）、テレビ１０２Ａの制御部は、実行する処理をステップＳ２１４に進める。
【０１４０】
一方、携帯電話１０１Ａからコンテンツ再生機器ＩＤ要求フレームを受信したと判断した場合（ステップＳ２１１でＹＥＳの場合）、テレビ１０２Ａの制御部は、ステップＳ２１２で、秘密鍵管理部１１１よりコンテンツ再生機器ＩＤの情報を取得し、ステップＳ２１３で、携帯電話１０１Ａに対してコンテンツ再生機器ＩＤ受付フレームを送信する。
【０１４１】
【表５】
0004846537.tif 000006
【０１４２】
表５は、テレビ１０２Ａから携帯電話１０１Ａに送信されるコンテンツ再生機器ＩＤ受付フレームの内容を示す。コンテンツ再生機器ＩＤ受付フレームは、テレビ１０２Ａが携帯電話１０１Ａからのコンテンツ再生機器ＩＤ要求フレームを受信した際に返答に用いるフレームであり、少なくともテレビ１０２Ａを特定するためのコンテンツ再生機器ＩＤの情報が含まれる。
【０１４３】
表５のコンテンツ再生機器ＩＤ受付フレームは、「コンテンツ再生機器ＩＤ」の要求を「受付」けるフレームである。
【０１４４】
携帯電話１０１Ａの制御部１０５は、ステップＳ１１６で、テレビ１０２Ａからコンテンツ再生機器ＩＤ受付フレームを受信したか否かを判断する。コンテンツ再生機器ＩＤ受付フレームを受信していないと判断した場合（ステップＳ１１６でＮＯの場合）、制御部１０５は、ステップＳ１１６の処理を繰返す。
【０１４５】
一方、コンテンツ再生機器ＩＤ受付フレームを受信したと判断した場合（ステップＳ１１６でＹＥＳの場合）、制御部１０５は、ステップＳ１１７で、選択したコンテンツをテレビ１０２Ａで視聴するために必要となるコンテンツ鍵を取得するためにコンテンツ配信局１０３の視聴権利サーバ１１３と接続処理を行ない、コンテンツ鍵要求フレームを視聴権利サーバ１１３に送信する。
【０１４６】
【表６】
0004846537.tif 000007
【０１４７】
表６は、携帯電話１０１Ａからコンテンツ配信局１０３に送信されるコンテンツ鍵要求フレームの内容を示す。コンテンツ鍵要求フレームは、携帯電話１０１Ａがテレビ１０２ＡからのＩＤ受付フレームを受信した場合にコンテンツ配信局１０３に送信するフレームであり、少なくともテレビ１０２Ａを特定するためのコンテンツ再生機器ＩＤと、ユーザが視聴を希望したコンテンツを特定するためのコンテンツＩＤと、携帯電話１０１Ａを特定するための通信装置ＩＤと、コンテンツの視聴権利を示す権利コードの情報とを含む。なお、権利コードは、図２のステップＳ１０７で、権利管理部１０８に記憶される。
【０１４８】
コマンド種別の欄の内容が「１２」であることは、このフレームが「視聴許可」に関するフレームであることを示す。つまり、表６のコンテンツ鍵要求フレームは、「視聴許可」を「要求」するフレームである。
【０１４９】
コンテンツ配信局１０３の視聴権利サーバ１１３の制御部は、ステップＳ３１１で、携帯電話１０１Ａからコンテンツ鍵要求フレームを受信したか否かを判断する。コンテンツ鍵要求フレームを受信していないと判断した場合（ステップＳ３１１でＮＯの場合）、視聴権利サーバ１１３の制御部は、ステップＳ３１１の処理を繰返す。
【０１５０】
一方、コンテンツ鍵要求フレームを受信したと判断した場合（ステップＳ３１１でＹＥＳの場合）、視聴権利サーバ１１３の制御部は、ステップＳ３１２で、受信したコンテンツ鍵要求フレームに含まれる権利コードが、図２の視聴権利販売処理のステップＳ３０３で生成された正当な権利コードであるか否かを判断する。権利コードが正当でないと判断した場合（ステップＳ３１２でＮＯの場合）、視聴権利サーバ１１３の制御部は、実行する処理をステップＳ３１１の処理に戻す。
【０１５１】
一方、権利コードが正当であると判断した場合（ステップＳ３１２でＹＥＳの場合）、視聴権利サーバ１１３の制御部は、ステップＳ３１３で、機器証明局１０４に対して公開鍵要求フレームを送信する。
【０１５２】
【表７】
0004846537.tif 000008
【０１５３】
表７は、コンテンツ配信局１０３から機器証明局１０４に送信される公開鍵要求フレームの内容を示す。公開鍵要求フレームは、コンテンツ配信局１０３が携帯電話１０１Ａからコンテンツ鍵要求フレームを受信した場合に機器証明局１０４に送信するフレームであり、少なくともテレビ１０２Ａを特定するためのコンテンツ再生機器ＩＤの情報を含む。
【０１５４】
コマンド種別の欄の内容が「４１」であることは、このフレームが「公開鍵」に関するフレームであることを示す。つまり、表７の公開鍵要求フレームは、「公開鍵」を「要求」するフレームである。
【０１５５】
機器証明局１０４の公開鍵サーバ１１５の制御部は、ステップＳ４１１で、コンテンツ配信局１０３から公開鍵要求フレームを受信したか否かを判断する。公開鍵要求フレームを受信していないと判断した場合（ステップＳ４１１でＮＯの場合）、公開鍵サーバ１１５の制御部は、ステップＳ４１１の処理を繰返す。
【０１５６】
一方、公開鍵要求フレームを受信したと判断した場合（ステップＳ４１１でＹＥＳの場合）、公開鍵サーバ１１５の制御部は、ステップＳ４１２で、受信した公開鍵要求フレームに含まれるコンテンツ再生機器ＩＤに対応する公開鍵を公開鍵サーバ１１５の記憶部から検索して、ステップＳ４１３で、検索された公開鍵を含む公開鍵受付フレームをコンテンツ配信局１０３に対して送信する。
【０１５７】
【表８】
0004846537.tif 000009
【０１５８】
表８は、機器証明局１０４からコンテンツ配信局１０３に送信される公開鍵受付フレームの内容を示す。公開鍵受付フレームは、機器証明局１０４がコンテンツ配信局１０３から公開鍵要求フレームを受信した場合にコンテンツ配信局１０３への返答として送信するフレームであり、少なくともテレビ１０２Ａを特定するためのコンテンツ再生機器ＩＤと、テレビ１０２Ａが製造される過程で与えられる公開鍵暗号系の秘密鍵と対をなす公開鍵の情報を含む。表８の公開鍵受付フレームは、「公開鍵」の要求を「受付」けるフレームである。
【０１５９】
コンテンツ配信局１０３の視聴権利サーバ１１３の制御部は、ステップＳ３１４で、機器証明局１０４から公開鍵受付フレームを受信したか否かを判断する。公開鍵受付フレームを受信していないと判断した場合（ステップＳ３１４でＮＯの場合）、視聴権利サーバ１１３の制御部は、ステップＳ３１４の処理を繰返す。一方、公開鍵受付フレームを受信したと判断した場合（ステップＳ３１４でＹＥＳの場合）、視聴権利サーバ１１３の制御部は、ステップＳ３１５で、視聴権利サーバ１１３でコンテンツデータと対応されて管理されているコンテンツ鍵を、受信した公開鍵受付フレームに含まれる公開鍵で暗号化して、ステップＳ３１６で、暗号化されたコンテンツ鍵を含むコンテンツ鍵受付フレームを携帯電話１０１Ａに送信する。
【０１６０】
【表９】
0004846537.tif 000010
【０１６１】
表９は、コンテンツ配信局１０３から携帯電話１０１Ａに送信されるコンテンツ鍵受付フレームの内容を示す。コンテンツ鍵受付フレームは、コンテンツ配信局１０３が機器証明局１０４から公開鍵受付フレームを受信した場合に携帯電話１０１Ａに送信するフレームであり、少なくともテレビ１０２Ａを特定するためのコンテンツ再生機器ＩＤと、ユーザが視聴を希望したコンテンツを特定するためのコンテンツＩＤと、暗号化されたコンテンツデータを復号するために用いるコンテンツ鍵との情報と、コンテンツデータのＵＲＩ情報とを含む。
【０１６２】
表９のコンテンツ鍵受付フレームは、「視聴許可」の要求を「受付」けるフレームである。
【０１６３】
なお、本フレームのコンテンツ鍵の情報はテレビ１０２Ａが製造される過程で与えられる公開鍵暗号系の秘密鍵と対をなす公開鍵によって暗号化がなされており、秘密鍵を有するテレビ１０２Ａだけがその暗号化を解くことが可能であり、コンテンツ鍵を利用することができるようになっている。
【０１６４】
携帯電話１０１Ａの制御部１０５は、ステップＳ１１８で、コンテンツ配信局１０３からコンテンツ鍵受付フレームを受信したか否かを判断する。コンテンツ鍵受付フレームを受信していないと判断した場合（ステップＳ１１８でＮＯの場合）、制御部１０５は、ステップＳ１１８の処理を繰返す。一方、コンテンツ鍵受付フレームを受信したと判断したい場合（ステップＳ１１８でＹＥＳの場合）、制御部１０５は、ステップＳ１１９で、視聴開始通知フレームをテレビ１０２Ａに送信する。その後、制御部１０５は、実行する処理をこの処理の呼出元の処理に戻す。
【０１６５】
【表１０】
0004846537.tif 000011
【０１６６】
表１０は、携帯電話１０１Ａからテレビ１０２Ａに送信される視聴開始通知フレームの内容を示す。視聴開始通知フレームは、携帯電話１０１Ａがコンテンツ配信局１０３からコンテンツ鍵受付フレームを受信した場合にテレビ１０２Ａに送信されるフレームであり、少なくとも、ユーザが視聴を希望するコンテンツを特定するコンテンツＩＤと、暗号化されたコンテンツデータを復号するためのコンテンツ鍵と、コンテンツデータのＵＲＩ情報とを含む。
【０１６７】
フレーム種別の欄の内容が「０３」であることは、このフレームが「通知」するフレームであることを示す。また、コマンド種別の欄の内容が「２２」であることは、このフレームが「視聴開始」に関するフレームであることを示す。つまり、表１０の視聴開始通知フレームは、「視聴開始」を「通知」するフレームである。
【０１６８】
なお、本フレームのコンテンツ鍵の情報はテレビ１０２Ａが製造される過程で与えられる公開鍵暗号系の秘密鍵と対をなす公開鍵によって暗号化されており、秘密鍵を有するテレビ１０２Ａだけが、その暗号化を解くことが可能であり、コンテンツ鍵を利用することができるようになっている。
【０１６９】
テレビ１０２Ａの制御部は、ステップＳ２１４で、携帯電話１０１Ａから視聴開始通知フレームを受信したか否かを判断する。視聴開始通知フレームを受信していないと判断した場合（ステップＳ２１４でＮＯの場合）、テレビ１０２Ａの制御部は、実行する処理をステップＳ２１１に戻す。
【０１７０】
一方、携帯電話１０１Ａから視聴開始通知フレームを受信したと判断した場合（ステップＳ２１４でＹＥＳの場合）、テレビ１０２Ａの制御部は、ステップＳ２１５で、視聴開始通知フレームに含まれるＵＲＩ情報で示されたコンテンツ配信局１０３のコンテンツサーバ１１４から第３通信部１１０を介して、暗号化されたコンテンツデータをダウンロードし、その暗号化されたコンテンツデータを再生処理部１１２に提供する。
【０１７１】
また、テレビ１０２Ａの制御部は、ステップＳ２１６で、受信した視聴開始通知フレームに含まれる暗号化されたコンテンツ鍵の情報を秘密鍵管理部１１１に提供する。すると、秘密鍵管理部１１１は、自身が持つ公開鍵暗号系の秘密鍵を用いて、提供されたコンテンツ鍵に施された暗号化を解く。そして、秘密鍵管理部１１１は、復号化されたコンテンツ鍵を再生処理部１１２に提供する。
【０１７２】
次に、再生処理部１１２は、第３通信部１１０から提供される暗号化されたコンテンツデータと、秘密鍵管理部１１１から提供される暗号化を解くためのコンテンツ鍵とを受け取って、ステップＳ２１７で、コンテンツデータの復号化を行ない、ステップＳ２１８で、コンテンツデータをテレビ１０２Ａが供える表示パネルなどに表示する。その後、テレビ１０２Ａの制御部は、実行する処理をステップＳ２１１に戻す。
【０１７３】
なお、携帯電話１０１Ａの持つコンテンツの視聴権利に回数制限などが設けられている場合は、視聴残り回数が１差し引かれる。また、このようなコンテンツの視聴権利に制限が設けられていることがあるため、テレビ１０２Ａはコンテンツデータの再生が完了した際にコンテンツ鍵の情報を削除するようにし、再度視聴をしたい場合は、改めて携帯電話１０１Ａからコンテンツの視聴を要求するようにすることが考えられる。
【０１７４】
以上の手順により、携帯電話１０１Ａで購入済みのコンテンツの視聴権利を用いてテレビ１０２Ａでコンテンツを再生することが可能である。
【０１７５】
（第１の実施の形態におけるコンテンツの再生の例）
図８は、第１の実施の形態における、通信装置１０１が所有する視聴権利をコンテンツ再生機器１０２に与えることでコンテンツを再生する例を説明するための図である。ここでは、コンテンツが映画のデータである場合について説明する。
【０１７６】
図８を参照して、コンテンツ配信システム１０Ｄは、通信装置１０１として携帯電話１０１Ａを含み、コンテンツ再生機器１０２としてテレビ１０２Ａを含み、コンテンツ配信局１０３としてビデオサーバ１０３Ａを含み、機器証明局１０４としてテレビ製造元会社のサーバ１０４Ａを含む。
【０１７７】
ユーザは、携帯電話１０１Ａを操作して携帯電話１０１Ａが持つコンテンツの視聴権利の一覧表を表示させて、その中から視聴したいコンテンツを選び出す。また、コンテンツを再生する機器の選択も携帯電話１０１Ａで行なう。
【０１７８】
この際の操作手順としては携帯電話１０１Ａの表示パネルに表示された視聴可能なコンテンツのリストから視聴したいコンテンツを選択する際に、リモコンでテレビ操作を行なう様に、携帯電話１０１Ａを再生する機器のある方向に向けてコンテンツ選択の決定ボタンを押すという方法が考えられる。
【０１７９】
映画などの有料コンテンツは特に著作権管理を徹底する必要があるため、コンテンツを視聴する際は再生する機器が違法なコピーを作り出さないような仕組みを搭載している必要がある。そこで、下記の環境および手順が必要となる。
【０１８０】
まず、環境を説明する。著作権管理の機能を持つテレビ１０２Ａに対しては、機器製造元であるメーカーによって製造段階で、テレビ１０２Ａを特定するためのコンテンツ再生機器ＩＤの情報および公開鍵暗号系の秘密鍵の情報が与えられる。
【０１８１】
また、メーカーは、このテレビ１０２Ａが著作権管理の機能を持つことをビデオサーバ１０３Ａに保証するためのサーバ１０４Ａを設置しておく。機器製造元のサーバ１０４Ａは、ネットワーク上に設けられたサーバなどで実現され、ビデオサーバ１０３Ａからのコンテンツ再生機器ＩＤで問い合わせがあった際に、そのコンテンツ再生機器ＩＤを持つテレビ１０２Ａに与えた公開鍵暗号系の秘密鍵の対となる公開鍵の情報を提供する役割を果たす。
【０１８２】
また、ビデオサーバ１０３Ａが提供するコンテンツデータには暗号化処理がされており、コンテンツを再生するためにはコンテンツデータの暗号を解くためのコンテンツ鍵が必要となる。コンテンツ鍵はビデオサーバ１０３Ａで管理され、視聴権利を持つ携帯電話１０１Ａから要求があった場合に、コンテンツ鍵の情報が携帯電話１０１Ａに提供される。
【０１８３】
次に、手順を説明する。
（１）（２）（３）携帯電話１０１Ａは、コンテンツを再生するテレビ１０２Ａをユーザが選択した際に、そのテレビ１０２Ａからテレビ１０２Ａを特定するためのコンテンツ再生機器ＩＤの情報を取得する（図６のステップＳ１１３からステップＳ１１６までに相当）。
【０１８４】
（４）携帯電話１０１Ａは、視聴したいコンテンツの情報と共にコンテンツ再生機器ＩＤの情報をビデオサーバ１０３Ａに提供する（図６のステップＳ１１７およびステップＳ３１１に相当）。
【０１８５】
（５）（６）ビデオサーバ１０３Ａは、そのコンテンツ再生機器ＩＤの情報で、テレビ製造元会社のサーバ１０４Ａに問い合わせを行なうことで、そのコンテンツ再生機器ＩＤに対応した公開鍵暗号系の公開鍵を入手することができる（図６のステップＳ３１３、ステップＳ３１４、および、ステップＳ４１１からステップＳ４１３までに相当）。
【０１８６】
（７）（８）ビデオサーバ１０３Ａは、視聴権利を持つ携帯電話１０１Ａに、コンテンツデータの暗号化を解くためのコンテンツ鍵を提供するが、この際にコンテンツ鍵の情報をコンテンツ再生機器ＩＤに対応した公開鍵暗号系の公開鍵で暗号化した状態で提供する（図６のステップＳ３１５、ステップＳ３１６、および、ステップＳ１１８に相当）。
【０１８７】
これによって、ビデオサーバ１０３Ａから提供されるコンテンツ鍵は、公開鍵暗号系の秘密鍵を持つテレビ１０２Ａだけが暗号化を解いて利用することができることになり、コンテンツデータの暗号化を解く鍵の漏洩を防ぐことができる。
【０１８８】
（９）暗号化されたコンテンツ鍵およびコンテンツデータのＵＲＩ情報は、携帯電話１０１Ａを介してテレビ１０２Ａに提供される（図７のステップＳ１１９およびステップＳ２１４に相当）。
【０１８９】
（１０）テレビ１０２Ａは、コンテンツ鍵の暗号化を解くとともに、ＵＲＩ情報を基にコンテンツデータをダウンロードする（図７のステップＳ２１５およびステップＳ２１６に相当）。テレビ１０２Ａは、復号化されたコンテンツ鍵でコンテンツデータの暗号化を解くことにより、再生可能なコンテンツデータを得ることができ、これを表示パネルに再生する（図７のステップＳ２１７およびステップＳ２１８に相当）。
【０１９０】
以上によって、携帯電話１０１Ａが所有する視聴権利をテレビ１０２Ａに与えることでコンテンツを再生することが可能となる。これにより、視聴権利を所有する携帯電話１０１Ａを用いた著作権管理機能を持つテレビであれば自由にコンテンツを見ることができる。
【０１９１】
（第１の実施の形態の第１の変形例）
また、第１の実施の形態においては、コンテンツ再生機器１０２をテレビ１０２Ａとして説明した。しかし、これに限定されず、図１９に示すように、コンテンツ再生機器１０２をセットトップボックス１０２Ｂとしてもよい。図１９は、第１の実施の形態の第１の変形例における、通信装置１０１が所有する視聴権利をコンテンツ再生機器１０２に与えることでコンテンツを再生する例を説明するための図である。図１９を参照して、この場合、コンテンツを再生した際にテレビ１０２Ａが備える液晶パネルに映像が表示される代わりに、セットトップボックス１０２Ｂが備える外部出力端子から映像信号がモニタ１１８に出力されて、モニタ１１８に映像が表示される点が、第１の実施の形態と異なる。その他の点は第１の実施の形態と同様であるので、重複する説明は繰返さない。
【０１９２】
（第１の実施の形態の第２の変形例）
次に、本発明の実施の形態における、通信装置１０１がコンテンツの視聴権利のリストを表示する手順について図９を用いて説明する。
【０１９３】
図９は、第１の実施の形態の第２の変形例における通信装置１０１で実行される視聴権利表示処理の流れを示すフローチャートである。
【０１９４】
図９を参照して、この視聴権利表示処理は、図３のステップＳ１１１で携帯電話１０１Ａによって実行される処理である。まず、ステップＳ１１１１で、携帯電話１０１Ａの制御部１０５は、携帯電話１０１Ａの権利管理部１０８で管理されているコンテンツの視聴権利のうち有効期限切れの視聴権利があるか否かを判断する。
【０１９５】
【表１１】
0004846537.tif 000012
【０１９６】
表１１は、権利管理部１０８で管理されている視聴権利の内容を示す。視聴権利の情報は、少なくとも、コンテンツを特定するためのコンテンツＩＤと、権利を購入したことを示す権利コードとを含み、本変形例においては、コンテンツの内容を示すコンテンツ名と、権利の有効期間と、有効視聴回数とをさらに含む。
【０１９７】
ステップＳ１１１１では、権利管理部１０８で管理されている視聴権利の情報のうち有効期限の情報が参照されて、有効期限切れの視聴権利があるか否かが判断される。有効期限切れの視聴権利があると判断された場合（ステップＳ１１１１でＹＥＳの場合）、制御部１０５は、ステップＳ１１１２で、有効期限切れの視聴権利に関する情報を権利管理部１０８から削除する。
【０１９８】
一方、有効期限切れの視聴権利がないと判断された場合（ステップＳ１１１１でＮＯの場合）、または、ステップＳ１１１２の後、制御部１０５は、ステップＳ１１１３で、有効視聴回数の残りが０回の視聴権利があるか否かを判断する。ステップＳ１１１３では、権利管理部１０８で管理されている視聴権利の情報のうち有効視聴回数の情報が参照されて、有効視聴回数が残り０回の視聴権利があるか否かが判断される。
【０１９９】
有効視聴回数の残りが０回の視聴権利があると判断された場合（ステップＳ１１１３でＹＥＳの場合）、制御部１０５は、ステップＳ１１１４で、有効視聴回数が残り０回の視聴権利を権利管理部１０８から削除する。
【０２００】
一方、有効視聴回数が残り０回の視聴権利がないと判断された場合（ステップＳ１１１３でＮＯの場合）、または、ステップＳ１１１４の後、制御部１０５は、ステップＳ１１１５で、携帯電話１０１Ａが備える液晶パネルなどの出力装置に、権利管理部１０８で管理された視聴権利に関する情報をリスト表示する。その後、制御部１０５は、実行する処理をこの視聴権利表示処理の呼出元の処理に戻す。
【０２０１】
これにより、視聴権利に有効期間や有効視聴回数を設定することができる。また、有効期間や有効視聴回数が所定条件に達した場合に、その視聴権利を無効とすることが可能となる。
【０２０２】
［第２の実施の形態］
図１０は、本発明の第２の実施の形態におけるコンテンツ配信システム２０の構成を示すブロック図である。
【０２０３】
図１０を参照して、コンテンツ配信システム２０は、通信装置２０１が用いられてコンテンツ配信局２０３から視聴権利が取得され、その視聴権利がコンテンツ再生機器２０２に提供されることでコンテンツが視聴可能とされるシステムである。このコンテンツ配信システム２０は、通信装置２０１と、コンテンツ再生機器２０２と、コンテンツ配信局２０３と、機器証明局２０４とを含む。
【０２０４】
通信装置２０１は、コンテンツの提供者であるコンテンツ配信局２０３とコンテンツを再生するコンテンツ再生機器２０２との間を仲介する役割を果たす。通信装置２０１は、少なくとも、制御部２０５と、第１通信部２０６と、第２通信部２０７、権利管理部２０８とを含む。
【０２０５】
コンテンツ再生機器２０２は、コンテンツを再生する役割を果たす。コンテンツ再生装置２０２は、少なくとも、第２通信部２０９と、第３通信部２１０と、秘密鍵管理部２１１と、再生処理部２１２とを含む。
【０２０６】
コンテンツ配信局２０３は、コンテンツの視聴権利とデータを提供する役割を果たす。コンテンツ配信局１０３は、少なくとも、視聴権利サーバ２１３と、コンテンツサーバ２１４とを含む。
【０２０７】
機器証明局２０４は、コンテンツ再生機器２０２を証明する役割を果たす。機器証明局２０４は、少なくとも、公開鍵サーバ２１５を含む。
【０２０８】
（通信装置２０１の各部の働き）
制御部２０５は、入出力処理や視聴権利購入時の課金処理を行なう役割を果たす。入出力処理は、キーボードやボタンやマイクなどによるユーザからの操作を受付けたり、表示パネルやＬＥＤランプなどにより表示したりする処理である。
【０２０９】
第１通信部２０６は、携帯電話網などのセキュアな回線を利用して、コンテンツ配信局２０３と通信処理を行なう役割を果たす。
【０２１０】
第２通信部２０７は、マンションや家庭内に敷かれたＬＡＮや近距離無線通信技術を用いたＰＡＮなどを利用して、コンテンツ再生機器２０２と通信処理を行なう役割を果たす。
【０２１１】
権利管理部２０８は、コンテンツの視聴権利を表す権利コードを記憶したり、その権利コードでコンテンツを視聴できる期間および同時に視聴可能な契約数を管理したりする役割を果たす。
【０２１２】
（コンテンツ再生機器２０２の各部の働き）
第２通信部２０９は、マンションや家庭内に敷かれたＬＡＮや近距離無線通信技術を用いたＰＡＮなどを利用して、通信装置２０１と通信処理を行なう役割を果たす。
【０２１３】
第３通信部２１０はインターネットなどの通信網を利用して、コンテンツ配信局２０３および機器証明局２０４と通信処理を行なう役割を果たす。
【０２１４】
秘密鍵管理部２１１は、コンテンツ再生機器ＩＤと秘密鍵とを記憶する役割、および、その秘密鍵を利用して与えられたデータの復号処理を行なう役割を果たす。
【０２１５】
コンテンツ再生機器ＩＤとは、コンテンツ再生機器２０２の製造過程で与えられるコンテンツ再生機器２０２を特定するためのＩＤをいう。秘密鍵は、同じく製造過程で与えられる公開鍵暗号系の鍵である。
【０２１６】
再生処理部２１２は、暗号化されているコンテンツデータの復号処理を行ない、液晶パネルなどの表示装置にコンテンツを表示する役割を果たす。
【０２１７】
（コンテンツ配信局２０３の各部の働き）
視聴権利サーバ２１３は、権利コードとコンテンツ鍵とを管理する役割を果たす。権利コードとは、コンテンツ配信局２０３が所有する映画や音楽などの視聴する権利を示すコードをいう。コンテンツ鍵は、コンテンツデータに施された暗号化を解くための鍵である。
【０２１８】
また、視聴権利サーバ２１３は、携帯電話網などのセキュアな回線を利用して通信装置２０１と通信する機能と、専用回線などのセキュアな回線を利用して機器証明局２０４と通信する機能とを有し、通信装置２０１に権利コードを提供する役割を果たす。また、視聴権利サーバ２１３は、コンテンツの利用料金を通信装置２０１に課金する役割を果たす。
【０２１９】
さらに、視聴権利サーバ２１３は、コンテンツ再生機器２０２が持つ公開鍵暗号系の秘密鍵に対応する公開鍵を機器証明局２０４より得て、その公開鍵で暗号化したコンテンツ鍵を通信装置２０１に提供する役割を果たす。
【０２２０】
コンテンツサーバ２１４は、コンテンツ配信局２０３が所有する映画や音楽などのコンテンツデータを管理する役割を果たす。また、コンテンツサーバ２１４は、インターネットなどの通信網を利用してコンテンツ再生機器２０２と通信処理を行なう役割を果たす。また、コンテンツサーバ２１４は、コンテンツをコンテンツ鍵で暗号化してコンテンツ再生機器２０２に提供する役割を果たす。
【０２２１】
（機器証明局２０４の各部の働き）
公開鍵サーバ２１５は、専用回線などのセキュアな回線を利用してコンテンツ配信局２０３と通信する機能を有する。公開鍵サーバ２１５は、さらに、インターネットなどの回線を利用してコンテンツ再生機器２０２と通信する機能を有する。公開鍵サーバ２１５は、コンテンツ再生機器ＩＤと、前述の秘密鍵に対応する公開鍵とをセットにして記憶する。
【０２２２】
また、公開鍵サーバ２１５は、コンテンツ再生機器２０２からコンテンツ再生機器ＩＤを提示された際に、そのコンテンツ再生機器ＩＤに対応する公開鍵の情報をコンテンツ配信局２０３に提供する役割を果たす。
【０２２３】
（コンテンツの再生の手順）
次に、本発明の実施の形態における、購入済みのコンテンツの視聴権利を用いてコンテンツ再生機器２０２でコンテンツを再生するための手順について図１１および図１２を用いて説明する。
【０２２４】
なお、この手順は、特に通信装置２０１とコンテンツ再生機器２０２とをそれぞれ接続する第２通信部２０７，２０９が双方向通信をするのではなく、テレビのリモコンなどに採用されている赤外線通信モジュールのように、通信装置２０１からコンテンツ再生機器２０２への片方向通信をする場合に特に効果がある手順である。
【０２２５】
図１１は、第２の実施の形態におけるコンテンツ配信システム２０で実行されるコンテンツの再生のための処理の流れを示す第１のフローチャートである。図１２は、第２の実施の形態におけるコンテンツ配信システム２０で実行されるコンテンツの再生のための処理の流れを示す第２のフローチャートである。
【０２２６】
以下、通信装置２０１を携帯電話２０１Ａ、コンテンツ再生機器２０２をテレビ２０２Ａとして説明を行なうことにする。
【０２２７】
図１１および図１２を参照して、携帯電話２０１Ａの制御部２０５は、ステップＳ１２１で、携帯電話２０１Ａが備える液晶パネルなどの出力装置に、権利管理部２０８に予め記憶された視聴権利に関する情報をリスト表示する。
【０２２８】
次に、ステップＳ１２２で、制御部２０５は、携帯電話２０１Ａが備えるボタンまたはマイクなどの入力装置がユーザによって操作されることによって、視聴権利に関する情報のうちのいずれかが選択されたか否かを判断する。視聴権利に関する情報のいずれも選択されていないと判断した場合（ステップＳ１２２でＮＯの場合）、制御部２０５は、ステップＳ１２２の処理を繰返す。
【０２２９】
一方、携帯電話２０１Ａに記憶されたコンテンツの視聴権利に関する情報のいずれかが選択されたと判断した場合（ステップＳ１２２でＹＥＳの場合）、ステップＳ１２３で、制御部２０５は、視聴に用いるテレビ２０２Ａの選択を行なう。そして、ステップＳ１２４で、制御部２０５は、テレビ２０２Ａの選択が確認されたか否かを判断する。
【０２３０】
テレビ２０２Ａの選択が確認されていないと判断した場合（ステップＳ１２４でＮＯの場合）、制御部２０５は、ステップＳ１２４の処理を繰返す。一方、テレビ２０２Ａの選択が確認されたと判断した場合（ステップＳ１２４でＹＥＳの場合）、制御部２０５は、ステップＳ１２５で、選択されたテレビ２０２Ａと接続処理を行ない、接続処理後、通信装置ＩＤ通知フレームをテレビ２０２Ａに送信する。その後、制御部２０５は、実行する処理をステップＳ１２６に進める。
【０２３１】
【表１２】
0004846537.tif 000013
【０２３２】
表１２は、携帯電話２０１Ａからテレビ２０２Ａに送信される通信装置ＩＤ通知フレームの内容を示す。通信装置ＩＤ通知フレームは、携帯電話２０１Ａが所有するコンテンツの視聴権利の中からユーザが視聴したいコンテンツとそのコンテンツを再生するテレビ２０２Ａを選択した際に、そのテレビ２０２Ａに対して送信されるフレームで、少なくとも携帯電話２０１Ａを特定するための通信装置ＩＤの情報を含む。
【０２３３】
コマンド種別の欄の内容が「２４」であることは、このフレームが通信「装置ＩＤ」に関するフレームであることを示す。つまり、表１２の通信装置ＩＤ通知フレームは、通信「装置ＩＤ」を「通知」するフレームである。
【０２３４】
テレビ２０２Ａでは、テレビ２０２Ａの制御部が、ステップＳ２２１で、携帯電話２０１Ａから通信装置ＩＤ通知フレームを受信したか否かを判断する。通信装置ＩＤ通知フレームを受信していないと判断した場合（ステップＳ２２１でＮＯの場合）、テレビ２０２
Ａの制御部は、実行する処理をステップＳ２２３の処理に進める。
【０２３５】
一方、携帯電話２０１Ａからの通信装置ＩＤ通知フレームを受信したと判断した場合（ステップＳ２２１でＹＥＳの場合）、テレビ２０２Ａの制御部は、ステップＳ２２２で、秘密鍵管理部２１１よりコンテンツ再生機器ＩＤの情報を取得し、機器証明局２０４と接続処理をしてから、取得したコンテンツ再生機器ＩＤの情報を含む機器ＩＤ通知フレームを、機器証明局２０４に対して送信する。その後、テレビ２０２Ａの制御部は、実行する処理をステップＳ２２３に進める。
【０２３６】
【表１３】
0004846537.tif 000014
【０２３７】
表１３は、テレビ２０２Ａから機器証明局２０４に送信される機器ＩＤ通知フレームの内容を示す。機器ＩＤ通知フレームは、テレビ２０２Ａが携帯電話２０１Ａから通信装置ＩＤ通知フレームを受信した際に、機器証明局２０４に送信するフレームであり、少なくとも携帯電話２０１Ａを特定するための通信装置ＩＤと、テレビ２０２Ａを特定するためのコンテンツ再生機器ＩＤの情報が含まれる。
【０２３８】
コマンド種別の欄の内容が「５１」であることは、このフレームがコンテンツ再生「機器ＩＤ」に関するフレームであることを示す。つまり、表１３の機器ＩＤ通知フレームは、コンテンツ再生「機器ＩＤ」を「通知」するフレームである。
【０２３９】
機器証明局２０４では、機器証明局２０４の公開鍵サーバ２１５の制御部が、ステップＳ４２１で、テレビ２０２Ａから機器ＩＤ通知フレームを受信したか否かを判断する。機器ＩＤ通知フレームを受信していないと判断した場合（ステップＳ４２１でＮＯの場合）、公開鍵サーバ２１５の制御部は、ステップＳ４２１の処理を繰返す。
【０２４０】
一方、機器ＩＤ通知フレームを受信したと判断した場合（ステップＳ４２１でＹＥＳの場合）、公開鍵サーバ２１５の制御部は、ステップＳ４２２で、受信した機器ＩＤ通知フレームに含まれるコンテンツ再生機器ＩＤに対応する公開鍵を検索し、ステップＳ４２３で、検索された公開鍵を含む公開鍵通知フレームを、コンテンツ配信局２０３に対して送信する。その後、公開鍵サーバ２１５の制御部は、実行する処理をステップＳ４２１の処理に戻す。
【０２４１】
【表１４】
0004846537.tif 000015
【０２４２】
表１４は、機器証明局２０４からコンテンツ配信局２０３に送信される公開鍵通知フレームの内容を示す。公開鍵通知フレームは、機器証明局２０４がテレビ２０２Ａからコンテンツ再生機器ＩＤ通知フレームを受信した際に、コンテンツ配信局２０３に送信するフレームであり、少なくとも携帯電話２０１Ａを特定する通信装置ＩＤと、テレビ２０２Ａが製造される過程で与えられる公開鍵暗号系の秘密鍵と対をなす公開鍵の情報を含む。表１４の公開鍵通知フレームは、「公開鍵」を「通知」するフレームである。
【０２４３】
また、通信装置ＩＤ通知フレームをテレビ２０２Ａに送信した携帯電話２０１Ａでは、制御部２０５が、ステップＳ１２６で、コンテンツ配信局２０３と接続処理を行ない、コンテンツ配信局２０３に視聴許可要求フレームを送信する。その後、制御部２０５は、実行する処理をステップＳ１２７に進める。
【０２４４】
【表１５】
0004846537.tif 000016
【０２４５】
表１５は、携帯電話２０１Ａからコンテンツ配信局２０３に送信される視聴許可要求フレームの内容を示す。視聴許可要求フレームは、携帯電話２０１Ａがテレビ２０２Ａに対して通信装置ＩＤ通知フレームを送信した後にコンテンツ配信局２０３に送信するフレームであり、少なくとも携帯電話２０１Ａを特定するための通信装置ＩＤと、ユーザが視聴を希望したコンテンツを特定するためのコンテンツＩＤと、コンテンツの視聴権利を示す権利コードの情報とを含む。
【０２４６】
コマンド種別の欄の内容が「１５」であることは、このフレームが「視聴許可」に関するフレームであることを示す。つまり、表１５の視聴許可要求フレームは、「視聴許可」を「要求」するフレームである。
【０２４７】
コンテンツ配信局２０３では、視聴権利サーバ２１３の制御部が、ステップＳ３２１で、機器証明局２０４から送信される公開鍵通知フレームを受信したか否かを判断する。公開鍵通知フレームを受信したと判断した場合（ステップＳ３２１でＹＥＳの場合）、視聴権利サーバ２１３の制御部は、ステップＳ３２２で、携帯電話２０１Ａから送信される視聴許可要求フレームを受信したか否かを判断する。
【０２４８】
公開鍵通知フレームを受信していないと判断された場合（ステップＳ３２１でＮＯの場合）、または、視聴許可要求フレームを受信してないと判断した場合（ステップＳ３２２でＮＯの場合）、視聴権利サーバ２１３の制御部は、実行する処理をステップＳ３２１に戻す。
【０２４９】
一方、視聴許可要求フレームを受信したと判断した場合（ステップＳ３２２でＹＥＳの場合）、視聴権利サーバ２１３の制御部は、ステップＳ３２３で、公開鍵通知フレームに含まれる通信装置ＩＤと、視聴許可要求フレームに含まれる通信装置ＩＤとが一致するか否かを判断する。一致しないと判断した場合（ステップＳ３２３でＮＯの場合）、視聴権利サーバ２１３の制御部は、実行する処理をステップＳ３２１に戻す。
【０２５０】
一方、それぞれのフレームに含まれる通信装置ＩＤが一致したと判断した場合（ステップＳ３２３でＹＥＳの場合）、視聴権利サーバ２１３の制御部は、ステップＳ３２４で、受信した視聴許可要求フレームに含まれる権利コードが、図２の視聴権利販売処理のステップＳ３０３で生成された正当な権利コードであるか否かを判断する。権利コードが正当でないと判断した場合（ステップＳ３２４でＮＯの場合）、視聴権利サーバ２１３の制御部は、実行する処理をステップＳ３２１に戻す。
【０２５１】
一方、権利コードが正当であると判断した場合（ステップＳ３２４でＹＥＳの場合）、視聴権利サーバ２１３の制御部は、ステップＳ３２５で、受信した公開鍵通知フレームに含まれる公開鍵で、視聴権利サーバ２１３でコンテンツデータと対応されて管理されているコンテンツ鍵を暗号化して、ステップＳ３２６で、暗号化されたコンテンツ鍵を含む視聴許可受付フレームを携帯電話２０１Ａに対して送信する。その後、視聴権利サーバ２１３の制御部は、実行する処理をステップＳ３２１に戻す。
【０２５２】
【表１６】
0004846537.tif 000017
【０２５３】
表１６は、コンテンツ配信局２０３から携帯電話２０１Ａに送信される視聴許可受付フレームの内容を示す。視聴許可受付フレームは、コンテンツ配信局２０３が、携帯電話２０１Ａからの視聴許可要求フレームと機器証明局２０４からの公開鍵通知フレームを受信し、それぞれのフレームに含まれる通信装置ＩＤの情報が一致し、なおかつ視聴権利要求フレームに含まれる権利コードによって携帯電話２０１Ａがコンテンツを視聴する権利を所有していることを確認できた場合、テレビ２０２Ａに対して送信されるフレームであり、少なくとも暗号化されたコンテンツデータを復号するために用いるコンテンツ鍵との情報と、コンテンツデータのＵＲＩ情報とを含む。表１６の視聴許可受付フレームは、「視聴許可」の要求を「受付」けたことを示す。
【０２５４】
なお、本フレームのコンテンツ鍵の情報はテレビ２０２Ａが製造される過程で与えられる公開鍵暗号系の秘密鍵と対をなす公開鍵によって暗号化がなされており、秘密鍵を有するテレビ２０２Ａだけがその暗号化を解くことが可能であり、コンテンツ鍵を利用することができるようになっている。
【０２５５】
携帯電話２０１Ａでは、制御部２０５が、ステップＳ１２７で、コンテンツ配信局２０３から視聴許可受付フレームを受信したか否かを判断する。視聴許可受付フレームを受信していないと判断した場合（ステップＳ１２７でＮＯの場合）、制御部２０５は、ステップＳ１２７の処理を繰返す。
【０２５６】
一方、コンテンツ配信局２０３から視聴許可受付フレームを受信したと判断した場合（ステップＳ１２７でＹＥＳの場合）、制御部２０５は、ステップＳ１２８で、テレビ２０２Ａに対して視聴開始通知フレームを送信する。
【０２５７】
携帯電話２０１Ａからテレビ２０２Ａに送信される視聴開始通知フレームについては、携帯電話２０１Ａがコンテンツ配信局２０３から視聴許可受付フレームを受信した際に送信されるフレームであり、内容および扱いは表１０で説明したので説明は繰返さない。
【０２５８】
テレビ２０２Ａの制御部は、ステップＳ２２３で、携帯電話２０１Ａから視聴開始通知フレームを受信したか否かを判断する。視聴開始通知フレームを受信していないと判断した場合（ステップＳ２２３でＮＯの場合）、テレビ２０２Ａの制御部は、実行する処理をステップＳ２２１に戻す。
【０２５９】
一方、携帯電話２０１Ａから視聴開始通知フレームを受信したと判断した場合（ステップＳ２２３でＹＥＳの場合）、テレビ２０２Ａの制御部は、ステップＳ２２４で、視聴開始通知フレームに含まれるＵＲＩ情報で示されたコンテンツ配信局２０３のコンテンツサーバ２１４から第３通信部２１０を介して、暗号化されたコンテンツデータをダウンロードし、その暗号化されたコンテンツデータを再生処理部２１２に提供する。
【０２６０】
また、テレビ２０２Ａの制御部は、ステップＳ２２５で、受信した視聴開始通知フレームに含まれる暗号化されたコンテンツ鍵の情報を秘密鍵管理部２１１に提供する。
【０２６１】
すると、秘密鍵管理部２１１は、自身が持つ公開鍵暗号系の秘密鍵を用いて、提供されたコンテンツ鍵に施された暗号化を解く。そして、秘密鍵管理部２１１は、復号化されたコンテンツ鍵を再生処理部２１２に提供する。
【０２６２】
次に、再生処理部２１２は、第３通信部２１０から提供される暗号化されたコンテンツデータと秘密鍵管理部２１１から提供される暗号化を解くためのコンテンツ鍵とを受け取って、ステップＳ２２６で、コンテンツデータの復号化を行ない、ステップＳ２２７で、コンテンツデータをテレビ２０２Ａが供える表示パネルなどに表示する。
【０２６３】
なお、携帯電話２０１Ａの持つコンテンツの視聴権利に回数制限などが設けられている場合は、視聴残り回数が１差し引かれる。また、このようなコンテンツの視聴権利に制限が設けられていることがあるため、テレビ２０２Ａはコンテンツデータの再生が完了した際にコンテンツ鍵の情報を削除するようにし、再度視聴をしたい場合は、改めて携帯電話２０１Ａからコンテンツの視聴を要求するようにすることが考えられる。
【０２６４】
以上の手順により、携帯電話２０１Ａで購入済みのコンテンツの視聴権利を用いてテレビ２０２Ａでコンテンツを再生することが可能である。
【０２６５】
（第２の実施の形態におけるコンテンツの再生の例）
図１３は、第２の実施の形態における、通信装置２０１が所有する視聴権利をコンテンツ再生機器２０２に与えることでコンテンツを再生する例を説明するための図である。ここでは、コンテンツが映画のデータである場合について説明する。
【０２６６】
図１３を参照して、コンテンツ配信システム２０Ａは、通信装置２０１として携帯電話２０１Ａを含み、コンテンツ再生機器２０２としてテレビ２０２Ａを含み、コンテンツ配信局２０３としてビデオサーバ２０３Ａを含み、機器証明局２０４としてテレビ製造元会社のサーバ２０４Ａを含む。
【０２６７】
ユーザは、携帯電話２０１Ａを操作して携帯電話２０１Ａが持つコンテンツの視聴権利の一覧表を表示させて、その中から視聴したいコンテンツを選び出す。また、コンテンツを再生する機器の選択も携帯電話２０１Ａで行なう。
【０２６８】
この際の操作手順としては携帯電話２０１Ａの表示パネルに表示された視聴可能なコンテンツのリストから視聴したいコンテンツを選択する際に、リモコンでテレビ操作を行なう様に、携帯電話２０１Ａを再生する機器のある方向に向けてコンテンツ選択の決定ボタンを押すという方法が考えられる。
【０２６９】
映画などの有料コンテンツは特に著作権管理を徹底する必要があるため、コンテンツを視聴する際は再生する機器が違法なコピーを作り出さないような仕組みを搭載している必要がある。そこで、下記の環境および手順が必要となる。
【０２７０】
まず、環境を説明する。著作権管理の機能を持つテレビ２０２Ａに対しては、機器製造元であるメーカーによって製造段階で、テレビ２０２Ａを特定するためのコンテンツ再生機器ＩＤの情報および公開鍵暗号系の秘密鍵の情報が与えられる。
【０２７１】
また、メーカーは、このテレビ２０２Ａが著作権管理の機能を持つことをビデオサーバ２０３Ａに保証するためのサーバ２０４Ａを設置しておく。テレビ２０２Ａにも、テレビ製造元会社のサーバ２０４ＡのＵＲＩ情報を与えておく。テレビ製造元会社のサーバ２０４Ａは、ネットワーク上に設けられたサーバなどで実現され、テレビ２０２Ａからコンテンツ再生機器ＩＤを受信すると、そのコンテンツ再生機器ＩＤを持つテレビ２０２Ａに与えた公開鍵暗号系の秘密鍵の対となる公開鍵の情報をビデオサーバ２０３Ａに提供する役割を果たす。
【０２７２】
また、ビデオサーバ２０３Ａが提供するコンテンツデータには暗号化処理がされており、コンテンツを再生するためにはコンテンツデータの暗号を解くためのコンテンツ鍵が必要となる。コンテンツ鍵はビデオサーバ２０３Ａで管理され、視聴権利を持つ携帯電話２０１Ａから要求があった場合に、コンテンツ鍵の情報が携帯電話２０１Ａに提供される。
【０２７３】
次に、手順を説明する。
（１）（２）（３）携帯電話２０１Ａは、コンテンツを再生するテレビ２０２Ａをユーザが選択した際に、携帯電話２０１Ａを特定するための通信装置ＩＤをテレビ２０２Ａに送信し、さらに視聴したいコンテンツを特定するＩＤと携帯電話２０１Ａを特定するための通信装置ＩＤとをビデオサーバ２０３Ａに送信する（図１１のステップＳ１２１からステップＳ１２６までに相当）。
【０２７４】
（４）テレビ２０２Ａは、携帯電話２０１Ａからの通信装置ＩＤを受信すると、テレビ製造元会社のサーバ２０４ＡのＵＲＩ情報を基にサーバ２０４Ａと接続処理を行ない、通信装置ＩＤおよびコンテンツ再生機器ＩＤの情報を提供する（図１１のステップＳ２２１、ステップＳ２２２、および、ステップＳ４２１に相当）。
【０２７５】
（５）テレビ製造元会社のサーバ２０４Ａは、それらの情報を受信すると、コンテンツ再生機器ＩＤに対応した公開鍵暗号系の公開鍵および通信装置ＩＤの情報をビデオサーバ２０３Ａに提供する（図１１のステップＳ４２１からステップＳ４２３まで、および、ステップＳ３２１に相当）。
【０２７６】
（６）（７）ビデオサーバ２０３Ａは、携帯電話から受信した情報に含まれる通信装置ＩＤと、テレビ製造元会社のサーバ２０４Ａから受信した情報に含まれる通信装置ＩＤが一致した場合、その携帯電話２０１Ａに対して要求されているコンテンツ鍵を提供する（図１１のステップＳ３２３からステップＳ３２６まで、および、図１２のステップＳ１２７に相当）。なお、ビデオサーバ２０３Ａが提供するコンテンツ鍵にはテレビ製造元会社のサーバ２０４Ａから提供された公開鍵を用いて暗号化がされている。
【０２７７】
これによって、ビデオサーバ２０３Ａから提供されるコンテンツ鍵は、公開鍵暗号系の秘密鍵を持つテレビ２０２Ａだけが暗号化を解いて利用することができることになり、コンテンツデータの暗号化を解く鍵の漏洩を防ぐことができる。
【０２７８】
（８）暗号化されたコンテンツ鍵およびコンテンツデータのＵＲＩ情報は、携帯電話２０１Ａを介してテレビ２０２Ａに提供される（図１２のステップＳ１２８およびステップＳ２２３に相当）。
【０２７９】
（９）テレビ２０２Ａは、コンテンツ鍵の暗号化を解くとともに、ＵＲＩ情報を基にコンテンツデータをダウンロードする（図１２のステップＳ２２４およびステップＳ２２５に相当）。テレビ２０２Ａは、復号化されたコンテンツ鍵でコンテンツデータの暗号化を解くことにより、再生可能なコンテンツデータを得ることができ、これを表示パネルに再生する（図１２のステップＳ２２６およびステップＳ２２７に相当）。
【０２８０】
以上によって、携帯電話２０１Ａが所有する視聴権利をテレビ２０２Ａに与えることでコンテンツを再生することが可能となる。これにより、視聴権利を所有する携帯電話２０１Ａを用いて著作権管理機能を持つテレビであれば自由にコンテンツを見ることができる。
【０２８１】
（第２の実施の形態の第１の変形例）
また、第２の実施の形態においては、コンテンツ再生機器２０２をテレビ２０２Ａとして説明した。しかし、これに限定されず、図２０に示すように、コンテンツ再生機器２０２をセットトップボックス２０２Ｂとしてもよい。図２０は、第２の実施の形態の第１の変形例における、通信装置２０１が所有する視聴権利をコンテンツ再生機器２０２に与えることでコンテンツを再生する例を説明するための図である。図２０を参照して、この場合、コンテンツを再生した際にテレビ２０２Ａが備える液晶パネルに映像が表示される代わりに、セットトップボックス２０２Ｂが備える外部出力端子から映像信号がモニタ２１８に出力されて、モニタ２１８に映像が表示される点が、第２の実施の形態と異なる。その他の点は第２の実施の形態と同様であるので、重複する説明は繰返さない。
【０２８２】
［第３の実施の形態］
図１４は、本発明の第３の実施の形態におけるコンテンツ配信システム３０の構成を示すブロック図である。
【０２８３】
図１４を参照して、コンテンツ配信システム３０は、通信装置３０１が用いられてコンテンツ配信局３０３との契約数に応じて視聴権利が取得され、その視聴権利がコンテンツ再生機器３０２に提供されることでコンテンツが視聴可能とされるシステムである。このコンテンツ配信システム３０は、通信装置３０１と、コンテンツ再生機器３０２Ｂ，Ｃと、コンテンツ配信局３０３と、機器証明局３０４とを含む。
【０２８４】
通信装置３０１は、コンテンツの提供者であるコンテンツ配信局３０３とコンテンツを再生するコンテンツ再生機器３０２との間を仲介する役割を果たす。通信装置３０１は、少なくとも、権利管理部３０８と、第１通信部３０６と、第２通信部３０７とを含む。
【０２８５】
コンテンツ再生機器３０２Ｂ，Ｃは、それぞれ、コンテンツを再生する役割を果たす。コンテンツ再生装置３０２Ｂ，Ｃは、それぞれ、少なくとも、制御部３０５Ｂ，Ｃと、第２通信部３０９Ｂ，Ｃと、再生処理部３１２Ｂ，Ｃと、秘密鍵管理部３１１Ｂ，Ｃとを含む。
【０２８６】
コンテンツ配信局３０３は、コンテンツの視聴権利とデータを提供する役割を果たす。コンテンツ配信局３０３は、少なくとも、視聴権利サーバ３１３と、コンテンツサーバ３１４とを含む。
【０２８７】
機器証明局３０４は、コンテンツ再生機器３０２を証明する役割を果たす。機器証明局３０４は、少なくとも、公開鍵サーバ３１５を含む。
【０２８８】
（通信装置３０１の各部の働き）
権利管理部３０８は、コンテンツの視聴権利を表す権利コードの記憶や、その権利コードでコンテンツを視聴できる期間や、同時に視聴可能な契約数を管理する役割を果たす。
【０２８９】
第１通信部３０６は、専用線などのセキュアな回線またはインターネット回線を利用してコンテンツ配信局３０３と通信処理を行なう役割を果たす。
【０２９０】
第２通信部３０７は、マンションや家庭内に敷かれたＬＡＮ５００を利用してコンテンツ再生機器３０２と通信処理を行なう役割を果たす。
【０２９１】
（コンテンツ再生機器３０２の各部の働き）
制御部３０８は、リモコンやキーボードによるユーザからの操作の受付や表示パネルやＬＥＤランプによるユーザへの表示などの入出力処理を行なう。
【０２９２】
第２通信部３０９は、マンションや家庭内に敷かれたＬＡＮを用いて通信装置３０１と通信処理を行なう役割を果たす。
【０２９３】
再生処理部３１２は、暗号化されているコンテンツデータの復号処理を行ない、液晶パネルなどの表示装置にコンテンツを表示する役割を果たす。
【０２９４】
秘密鍵管理部３１１は、コンテンツ再生機器ＩＤと、秘密鍵とを記憶する役割、および、その秘密鍵を利用して与えられたデータの復号処理を行なう役割を果たす。
【０２９５】
コンテンツ再生機器ＩＤとは、コンテンツ再生機器３０２Ｂ，Ｃの製造過程で与えられるコンテンツ再生機器３０２Ｂ，Ｃを特定するためのＩＤをいう。秘密鍵は、同じく製造過程で与えられる公開鍵暗号系の鍵である。
【０２９６】
（コンテンツ配信局３０３の各部の働き）
視聴権利サーバ３１３は、権利コードとコンテンツ鍵とを管理する役割を果たす。権利コードとは、コンテンツ配信局３０３が所有する映画や音楽などの視聴する権利を示すコードをいう。コンテンツ鍵は、コンテンツデータに施された暗号化を解くための鍵である。
【０２９７】
また、視聴権利サーバ３１３は、専用回線などのセキュアな回線を利用して通信装置３０１と通信する機能と、前者とは異なる専用回線などのセキュアな回線を利用して機器証明局３０４と通信する機能とを有し、通信装置３０１に権利コードを提供する役割を果たす。また、視聴権利サーバ３１３は、コンテンツの利用料金を通信装置３０１に課金する役割を果たす。
【０２９８】
さらに、視聴権利サーバ３１３は、コンテンツ再生機器３０２が持つ公開鍵暗号系の秘密鍵に対応する公開鍵を機器証明局３０４より取得し、その公開鍵で暗号化したコンテンツ鍵を通信装置３０１に提供する役割を果たす。
【０２９９】
コンテンツサーバ３１４は、コンテンツ配信局３０３が所有する映画や音楽などのコンテンツデータを管理する役割を果たす。また、コンテンツサーバ３１４は、インターネットなどの通信網を利用してコンテンツ再生機器３０２と通信処理を行なう役割を果たす。また、コンテンツサーバ３１４は、コンテンツをコンテンツ鍵で暗号化してコンテンツ再生機器３０２に提供する役割を果たす。
【０３００】
（機器証明局３０４の各部の働き）
公開鍵サーバ３１５は、専用回線などのセキュアな回線を利用してコンテンツ配信局３０３と通信する機能を有する。公開鍵サーバ３１５は、コンテンツ再生機器ＩＤと、前述の秘密鍵に対応する公開鍵とをセットにして記憶する。
【０３０１】
また、公開鍵サーバ３１５は、コンテンツ配信局３０３からコンテンツ再生機器ＩＤを提示された際に、そのコンテンツ再生機器ＩＤに対応する公開鍵の情報をコンテンツ配信局３０３に提供する役割を果たす。
【０３０２】
（コンテンツの再生の手順）
次に、本発明の実施の形態における、コンテンツ再生機器３０２が通信装置３０１を仲介してコンテンツ配信局３０３からコンテンツのデータを入手して再生する手順について図１５および図１６を用いて説明する。
【０３０３】
図１５は、第３の実施の形態におけるコンテンツ配信システム３０で実行されるコンテンツの再生のための処理の流れを示す第１のフローチャートである。図１６は、第３の実施の形態におけるコンテンツ配信システム３０で実行されるコンテンツの再生のための処理の流れを示す第２のフローチャートである。
【０３０４】
以下、通信装置３０１をセットトップボックス（以下、「ＳＴＢ（Set Top Box）」という）３０１Ａ、コンテンツ再生機器３０２Ｂ，Ｃをテレビ３０２Ａとして説明を行なうことにする。
【０３０５】
図１５および図１６を参照して、テレビ３０２Ａの制御部３０８は、ステップＳ２３１で、ＳＴＢ３０１Ａと接続処理を行ない、ＳＴＢ３０１Ａに対してコンテンツリスト要求フレームを送信する。
【０３０６】
【表１７】
0004846537.tif 000018
【０３０７】
表１７は、コンテンツリスト要求フレームの内容を示す。コンテンツリスト要求フレームは、視聴可能なコンテンツのリストがテレビ３０２ＡからＳＴＢ３０１Ａに対して要求されるときに、テレビ３０２ＡからＳＴＢ３０１Ａに送信される。
【０３０８】
コマンド種別の欄の内容が「２５」であることは、このフレームが「コンテンツリスト」に関するフレームであることを示す。つまり、表１７のコンテンツリスト要求フレームは、「コンテンツリスト」を「要求」するフレームである。
【０３０９】
ＳＴＢ３０１Ａでは、ＳＴＢ３０１Ａの制御部が、ステップＳ１３１で、コンテンツリスト要求フレームをテレビ３０２Ａから受信したか否かを判断する。コンテンツリスト要求フレームを受信していないと判断した場合（ステップＳ１３１でＮＯの場合）、ＳＴＢ３０１Ａの制御部は、ステップＳ１３１の処理を繰返す。
【０３１０】
一方、コンテンツリスト要求フレームを受信したと判断した場合（ステップＳ１３１でＹＥＳの場合）、ＳＴＢ３０１Ａの制御部は、権利管理部３０８に記憶されているコンテンツの視聴権利の一覧表を基にコンテンツリスト受付フレームをテレビ３０２Ａに対して送信する。
【０３１１】
なお、権利管理部３０８が記憶するコンテンツの視聴権利の一覧表は、コンテンツ配信局３０３によって、契約に応じて視聴権利サーバ３１３からＳＴＢ３０１Ａの権利管理部３０８に定期的にダウンロードされる。さらに、視聴権利の情報には契約数に応じて同時に視聴可能な数の制限を設ける場合は、既に視聴可能な数だけ視聴されているコンテンツに対してはこれ以上視聴できないように、ユーザが選択できないようにしてもよい。
【０３１２】
【表１８】
0004846537.tif 000019
【０３１３】
表１８は、コンテンツリスト受付フレームの内容を示す。コンテンツリスト受付フレームリストは、ＳＴＢ３０１Ａがテレビ３０２Ａからのコンテンツリスト要求フレームを受信した際に返答として送信されるフレームであり、ＳＴＢ３０１Ａの権利管理部３０８が保有するコンテンツの情報を基に生成され、少なくともコンテンツを特定するためのコンテンツＩＤおよびコンテンツの内容を示すコンテンツ名の情報が対で複数含まれる。
【０３１４】
表１８のコンテンツリスト受付フレームは、「コンテンツリスト」の要求を「受付」けたことを示すフレームである。
【０３１５】
なお、契約数により同時に視聴できる数の制限を設ける場合は、コンテンツリスト受付フレームを生成する際に制限数を満たしているためにこれ以上の視聴ができないコンテンツについてはコンテンツリスト受付フレームに情報を入れないようにしてもよい。
【０３１６】
テレビ３０２Ａでは、制御部３０８が、ステップＳ２３２で、コンテンツリスト受付フレームをＳＴＢ３０１Ａから受信したか否かを判断する。コンテンツリスト受付フレームを受信していないと判断した場合（ステップＳ２３２でＮＯの場合）、制御部３０８は、ステップＳ２３２の処理を繰返す。
【０３１７】
一方、コンテンツ受付フレームを受信したと判断した場合（ステップＳ２３２でＹＥＳの場合）、制御部３０８は、受信したコンテンツ受付フレームで示されるコンテンツのリストを表示パネルに表示する。ユーザは、視聴したいコンテンツを表示されたリストの中から選択する。制御部３０８は、ステップＳ２３４で、コンテンツが選択されたか否かを判断する。コンテンツが選択されていないと判断した場合（ステップＳ２３４でＮＯの場合）、ステップＳ２３４の処理を繰返す。
【０３１８】
一方、コンテンツが選択されたと判断した場合（ステップＳ２３４でＹＥＳの場合）、制御部３０８は、ステップＳ２３５で、選択されたコンテンツのコンテンツＩＤの情報と秘密鍵管理部３１１から得られるコンテンツ再生機器ＩＤの情報を基に視聴開始要求フレームを生成しＳＴＢ３０１Ａに送信する。
【０３１９】
【表１９】
0004846537.tif 000020
【０３２０】
表１９は、視聴開始要求フレームの内容を示す。視聴開始要求フレームは、テレビ３０２ＡからＳＴＢ３０１Ａに対して送信されるフレームであり、少なくとも、ユーザが視聴を希望したコンテンツを特定するためのコンテンツＩＤと、テレビ３０２Ａを特定するためのコンテンツ再生機器ＩＤの情報とを含む。表１９の視聴開始要求フレームは、「視聴開始」を「要求」するフレームである。
【０３２１】
ＳＴＢ３０１Ａでは、ＳＴＢ３０１Ａの制御部が、ステップＳ１３３で、視聴開始要求フレームをテレビ３０２Ａから受信したか否かを判断する。視聴開始要求フレームを受信していないと判断した場合（ステップＳ１３３でＮＯの場合）、ＳＴＢ３０１Ａの制御部は、ステップＳ１３３の処理を繰返す。一方、視聴開始要求フレームを受信したと判断した場合（ステップＳ１３３でＹＥＳの場合）、ＳＴＢ３０１Ａの制御部は、ステップＳ１３４で、コンテンツ配信局３０３の視聴権利サーバ３１３と接続処理を行ない、コンテンツ鍵要求フレームを視聴権利サーバ３１３に対して送信する。
【０３２２】
コンテンツ鍵要求フレームは、ＳＴＢ３０１Ａがテレビ３０２Ａからの視聴開始要求フレームを受信した際にコンテンツ配信局３０３に送信するフレームであり、内容および扱いは表６で説明したので説明は繰返さない。
【０３２３】
コンテンツ配信局３０３の視聴権利サーバ３１３の制御部は、ステップＳ３３１で、ＳＴＢ３０１Ａからコンテンツ鍵要求フレームを受信したか否かを判断する。コンテンツ鍵要求フレームを受信していないと判断した場合（ステップＳ３３１でＮＯの場合）、視聴権利サーバ３１３の制御部は、ステップＳ３３１の処理を繰返す。
【０３２４】
一方、コンテンツ鍵要求フレームを受信したと判断した場合（ステップＳ３３１でＹＥＳの場合）、視聴権利サーバ３１３の制御部は、ステップＳ３３２で、機器証明局３０４に対して公開鍵要求フレームを送信する。
【０３２５】
公開鍵要求フレームは、コンテンツ配信局３０３がＳＴＢ３０１Ａからのコンテンツ鍵要求フレームを受信した際に機器証明局３０４に送信されるフレームであり、内容および扱いは表７で説明したので説明は繰返さない。
【０３２６】
機器証明局３０４の公開鍵サーバ３１５の制御部は、ステップＳ４３１で、コンテンツ配信局３０３から公開鍵要求フレームを受信したか否かを判断する。公開鍵要求フレームを受信していないと判断した場合（ステップＳ４３１でＮＯの場合）、公開鍵サーバ３１５の制御部は、ステップＳ４３１の処理を繰返す。
【０３２７】
一方、公開鍵要求フレームを受信したと判断した場合（ステップＳ４３１でＹＥＳの場合）、公開鍵サーバ３１５の制御部は、ステップＳ４３２で、受信した公開鍵要求フレームに含まれるコンテンツ再生機器ＩＤに対応する公開鍵を公開鍵サーバ３１５の記憶部から検索して、ステップＳ４３３で、検索された公開鍵を含む公開鍵受付フレームをコンテンツ配信局３０３に対して送信する。
【０３２８】
公開鍵受付フレームについては、機器証明局３０４がコンテンツ配信局３０３からの公開鍵要求フレームを受信した際に返答として送信されるフレームであり、内容および扱いは表８で説明したので説明は繰返さない。
【０３２９】
コンテンツ配信局３０３の視聴権利サーバ３１３の制御部は、ステップＳ３３３で、機器証明局３０４から公開鍵受付フレームを受信したか否かを判断する。公開鍵受付フレームを受信していないと判断した場合（ステップＳ３３３でＮＯの場合）、視聴権利サーバ３１３の制御部は、ステップＳ３３３の処理を繰返す。一方、公開鍵受付フレームを受信したと判断した場合（ステップＳ３３３でＹＥＳの場合）、視聴権利サーバ３１３の制御部は、ステップＳ３３４で、視聴権利サーバ３１３でコンテンツデータと対応されて管理されているコンテンツ鍵を、受信した公開鍵受付フレームに含まれる公開鍵で暗号化して、ステップＳ３３５で、暗号化されたコンテンツ鍵を含むコンテンツ鍵受付フレームをＳＴＢ３０１Ａに送信する。
【０３３０】
コンテンツ鍵受付フレームは、コンテンツ配信局３０３が機器証明局３０４からの公開鍵受付フレームを受信した際にＳＴＢ３０１Ａに送信されるフレームであり、内容および扱いは表９で説明したので説明は繰返さない。
【０３３１】
ＳＴＢ３０１Ａの制御部は、ステップＳ１３５で、コンテンツ配信局３０３からコンテンツ鍵受付フレームを受信したか否かを判断する。コンテンツ鍵受付フレームを受信していないと判断した場合（ステップＳ１３５でＮＯの場合）、ＳＴＢ３０１Ａの制御部は、ステップＳ１３５の処理を繰返す。一方、コンテンツ鍵受付フレームを受信したと判断した場合（ステップＳ１３５でＹＥＳの場合）、ＳＴＢ３０１Ａの制御部は、ステップＳ１３６で、視聴開始受付フレームをテレビ３０２Ａに送信する。その後、ＳＴＢ３０１Ａの制御部は、実行する処理をこの処理の呼出元の処理に戻す。
【０３３２】
【表２０】
0004846537.tif 000021
【０３３３】
表２０は、視聴開始受付フレームの内容を示す。視聴開始受付フレームは、ＳＴＢ３０１Ａからテレビ３０２Ａに対して送信されるフレームであり、少なくともコンテンツを特定するためのコンテンツＩＤと、コンテンツデータに施された暗号を解くためのコンテンツ鍵と、コンテンツデータのＵＲＩ情報とを含む。表２０の視聴開始受付フレームは、「視聴開始」の要求を「受付」けたことを示すフレームである。
【０３３４】
なお、本フレームのコンテンツ鍵の情報は、テレビ３０２Ａが製造される過程で与えられる公開鍵暗号系の秘密鍵と対をなす公開鍵によって暗号化されており、秘密鍵を有するテレビ３０２Ａだけが、その暗号化を解くことが可能であり、復号されたコンテンツ鍵を利用することができるようになっている。
【０３３５】
テレビ３０２Ａの制御部３０８は、ステップＳ２３６で、ＳＴＢ３０１Ａから視聴開始受付フレームを受信したか否かを判断する。視聴開始受付フレームを受信していないと判断した場合（ステップＳ２３６でＮＯの場合）、制御部３０８は、実行する処理をステップＳ２３１に戻す。
【０３３６】
一方、ＳＴＢ３０１Ａから視聴開始受付フレームを受信したと判断した場合（ステップＳ２３６でＹＥＳの場合）、制御部３０８は、ステップＳ２３７で、視聴開始受付フレームに含まれるＵＲＩ情報で示されたコンテンツ配信局３０３のコンテンツサーバ３１４からＳＴＢ３０１ＡおよびLAN５００を介して、暗号化されたコンテンツデータをダウンロードし、その暗号化されたコンテンツデータを再生処理部３１２に提供する。
【０３３７】
また、制御部３０８は、ステップＳ２３８で、受信した視聴開始受付フレームに含まれる暗号化されたコンテンツ鍵の情報を秘密鍵管理部に提供する。
【０３３８】
すると、秘密鍵管理部３１１は、自身が持つ公開鍵暗号系の秘密鍵を用いて、提供されたコンテンツ鍵に施された暗号化を解く。そして、秘密鍵管理部３１１は、復号化されたコンテンツ鍵を再生処理部３１２に提供する。
【０３３９】
次に、再生処理部３１２は、第２通信部３０９から制御部３０８を介して提供される暗号化されたコンテンツデータと、秘密鍵管理部３１１から提供される暗号化を解くためのコンテンツ鍵とを受け取って、ステップＳ２３９で、コンテンツデータの復号化を行ない、ステップＳ２４０で、コンテンツデータをテレビ３０２Ａが供える表示パネルなどに表示する。その後、制御部３０８は、実行する処理をステップＳ２３１に戻す。
【０３４０】
テレビ３０２Ａの制御部３０８は、コンテンツデータの再生が完了した際にコンテンツ鍵の情報を削除する。
【０３４１】
以上の手順により、ＳＴＢ３０１Ａを介してコンテンツ配信局３０３の持つコンテンツをテレビ３０２Ａで再生することが可能となる。
【０３４２】
（第３の実施の形態におけるコンテンツの再生の例）
図１７は、本発明の実施の形態における、通信装置３０１が所有する視聴権利を用いてコンテンツ再生機器３０２Ｂ，Ｃでコンテンツを再生する例を説明するための図である。
【０３４３】
図１７を参照して、コンテンツ配信システム３０Ａは、通信装置３０１としてＳＴＢ３０１Ａを含み、コンテンツ再生機器３０２Ｂ，Ｃとしてテレビ３０２Ａを含み、コンテンツ配信局３０３としてビデオサーバ３０３Ａを含み、機器証明局３０４としてテレビ製造元会社のサーバ３０４Ａを含む。また、テレビ３０２Ａは、リモコン３１７Ａを含む。ＳＴＢ３０１Ａは、例えば集合住宅などに設置され、集合住宅の管理会社とコンテンツ配信局との契約によって得られたコンテンツを視聴する権利を管理する役割を果たす。
【０３４４】
ユーザは、リモコン３１７Ａを用いてテレビ３０２Ａにコンテンツの一覧を表示するように要求すると、テレビ３０２Ａは、ＳＴＢ３０１Ａより視聴可能なコンテンツの一覧表を取得する。この時、ＳＴＢ３０１Ａは、サービスの実施状況と契約内容を把握しており、視聴可能なコンテンツのみをユーザが選べるようにコンテンツの一覧表を作成してテレビ３０２Ａに提供する。
【０３４５】
つまり、ある映画Ａのコンテンツは同時に最大５ユーザまで視聴可能という契約をコンテンツ配信局と結んでいて、実際に５ユーザが映画Ａのコンテンツを視聴している場合は、視聴可能なコンテンツ一覧表に映画Ａの情報を載せないか、もしくは、現在は視聴不可を示す情報を付けて映画Ａのコンテンツをコンテンツのリストを要求したユーザが選べないようにして、コンテンツの一覧表が、テレビ３０２Ａに提供されることになる。
【０３４６】
テレビ３０２Ａは、コンテンツの一覧表を入手すると、それを表示パネルに表示し、ユーザは、リモコン３１７Ａを操作して視聴したいコンテンツを一覧表の中から選択する。テレビ３０２Ａは、選択された視聴コンテンツの開始要求をＳＴＢ３０１Ａに送信し、ＳＴＢ３０１Ａは、選択されたコンテンツの同時視聴者数を１加えるように、サービスの実施状況の情報を更新する。さらに、ＳＴＢ３０１Ａは、ビデオサーバ３０３Ａにコンテンツ鍵の要求を行なう。これ以降の手順については、図８で説明した例において、通信端末に相当する部分を携帯電話１０１ＡからＳＴＢ３０１Ａと読み替えることで同じになるので説明を繰返さない。以上によって、コンテンツ配信局との契約に則ったコンテンツの視聴サービスを実現することができる。
【０３４７】
（第３の実施の形態におけるコンテンツの再生終了後の例）
図１８は、本発明の実施の形態における、通信装置３０１が所有する視聴権利を用いてコンテンツ再生機器３０２Ｂ，Ｃでコンテンツを再生し再生が終了した後の例を説明するための図である。
【０３４８】
図１８を参照して、テレビ３０２Ａは、コンテンツの再生が終了した場合、コンテンツ鍵の情報を破棄して、コンテンツ鍵の情報が破棄されたことをＳＴＢ３０１Ａに通知する。ＳＴＢ３０１Ａは、その通知を受けて、サービスの実施状況の情報を更新する。ＳＴＢ３０１Ａは、テレビ３０２Ａからの通知を受けて処理したことをテレビ３０２Ａに対して通知する。以上によって、コンテンツ配信局との契約に同時視聴者数などの項目がある場合は、それに則ったコンテンツの視聴サービスを実現することができる。
【０３４９】
以上説明したように、図１、図１０、および、図１４で示すように、本実施の形態におけるコンテンツ配信システム１０，２０，３０は、それぞれ、コンテンツを再生する権利である視聴権利を管理する視聴権利サーバ１１３，２１３，３１３と、コンテンツを配信するコンテンツサーバ１１４，２１４，３１３と、コンテンツを再生するコンテンツ再生機器１０２，２０２，３０２と、視聴権利サーバ１１３，２１３，３１３およびコンテンツ再生機器１０２，２０２，３０２と通信可能な通信装置１０１，２０１，３０１とを含む。
【０３５０】
図２のステップＳ１０７で説明したように、通信装置１０１，２０１，３０１によって、それぞれ、視聴権利が取得されたコンテンツを特定可能な権利コードが権利管理部１０８，２０８，３０８に記憶されることによって管理される。図６のステップＳ１１７、図１１のステップＳ１２６、および、図１５のステップＳ１３４で説明したように、通信装置１０１，２０１，３０１によって、それぞれ、管理されている権利コードを含むコンテンツ鍵要求フレームまたは視聴許可要求フレームが視聴権利サーバ１１３，２１３，３１３に送信されることによって、権利コードが提示される。
【０３５１】
図６のステップＳ３１１、ステップＳ３１６、図１１のステップＳ３２２、ステップＳ３２６、および、図１５のステップＳ３３１、ステップＳ３３５で説明したように、視聴権利サーバ１１３，２１３，３１３によって、それぞれ、通信装置１０１，２０１，３０１から権利コードが提示されたことを条件として、コンテンツの視聴を許可することを示すコンテンツ鍵受付フレームまたは視聴許可受付フレームが通信装置１０１，２０１，３０１に送信される。
【０３５２】
図７のステップＳ１１８、ステップＳ１１９、図１２のステップＳ１２７、ステップＳ１２８、および、図１６のステップＳ１３５、ステップＳ１３６で説明したように、通信装置１０１，２０１，３０１によって、それぞれ、コンテンツ鍵受付フレームまたは視聴許可受付フレームが受信されたことを条件として、コンテンツの視聴開始を指示する視聴開始通知フレームがコンテンツ再生機器１０２，２０２，３０２に送信される。
【０３５３】
図７のステップＳ２１８、図１２のステップＳ２２７、および、図１６のステップＳ２４０で説明したように、コンテンツ再生機器１０２，２０２，３０２によって、それぞれ、視聴開始通知フレームが受信されたことを条件として、コンテンツサーバ１１４，２１４，３１４から取得されたコンテンツが再生される。
【０３５４】
このため、コンテンツの視聴権利が取得されていれば、このシステムのどのコンテンツ再生機器であっても、そのコンテンツを再生することができる。その結果、ユーザが視聴権利を取得したコンテンツをどのコンテンツ再生機器でも再生することが可能なコンテンツ配信システム１０，２０，３０を提供することができる。
【０３５５】
また、図２のステップＳ３０２、ステップＳ３０４で説明したように、視聴権利サーバ１１３によって、通信装置１０１に権利コードを含むコンテンツ購入受付フレームが送信されることによって提供されることを条件として、通信装置１０１のユーザに課金処理が行なわれる。図２のステップＳ１０６、ステップＳ１０７で説明したように、通信装置１０１によって、視聴権利サーバ１１３から提供された権利コードが権利管理部１０８に記憶されることによって管理される。このため、ユーザへの視聴権利の提供に対してユーザに課金することが可能となる。
【０３５６】
また、図１、図１０、および、図１４で説明したように、コンテンツサーバ１１４，２１４，３１４によって、それぞれ、コンテンツを暗号化するコンテンツ鍵でコンテンツが暗号化される。
【０３５７】
図６のステップＳ３１１、ステップＳ３１６、図１１のステップＳ３２２、ステップＳ３２６、および、図１５のステップＳ３３１、ステップＳ３３５で説明したように、視聴権利サーバ１１３，２１３，３１３によって、それぞれ、通信装置１０１，２０１，３０１から権利コードが提示されたことを条件として、コンテンツ鍵を含むコンテンツ鍵受付フレームまたは視聴許可受付フレームが通信装置１０１，２０１，３０１に送信される。
【０３５８】
図７のステップＳ１１９、図１２のステップＳ１２８、および、図１６のステップＳ１３６で説明したように、通信装置１０１，２０１，３０１によって、それぞれ、受信されたコンテンツ鍵を含む視聴開始通知フレームがコンテンツ再生機器１０２，２０２，３０２に送信される。
【０３５９】
図７のステップＳ２１５、図１２のステップＳ２２４、および、図１６のステップＳ２３７で説明したように、コンテンツ再生機器１０２，２０２，３０２によって、それぞれ、コンテンツサーバ１１４，２１４，３１４で暗号化されたコンテンツが取得される。
【０３６０】
図７のステップＳ２１４、図１２のステップＳ２２３、および、図１６のステップＳ２３６で説明したように、コンテンツ再生機器１０２，２０２，３０２によって、それぞれ、通信装置１０１，２０１，３０１からコンテンツ鍵を含む視聴開始受付フレームが受信される。
【０３６１】
図７のステップＳ２１７、ステップＳ２１８、図１２のステップＳ２２６、ステップＳ２２７、および、図１６のステップＳ２３９、ステップＳ２４０で説明したように、コンテンツ再生機器１０２，２０２，３０２によって、それぞれ、受信されたコンテンツ鍵で、取得されたコンテンツが復号され、復号されたコンテンツが再生される。
【０３６２】
このため、通信装置１０１，２０１，３０１を介してコンテンツ鍵が取得されない限り、コンテンツ再生機器１０２，２０２，３０２でコンテンツを復号して再生することができないようにすることができる。その結果、コンテンツサーバ１１４，２１４，３１４とコンテンツ再生機器１０２，２０２，３０２との間のコンテンツのセキュリティを向上させることができる。また、視聴権利の管理をより厳重にすることができる。
【０３６３】
また、図６のステップＳ３１５、図１１のステップＳ３２５、および、図１５のステップＳ３３４で説明したように、視聴権利サーバ１１３，２１３，３１３によって、それぞれ、コンテンツ再生機器１０２，２０２，３０２に対応する鍵であって公開鍵暗号方式の鍵である公開鍵でコンテンツ鍵が暗号化される。
【０３６４】
図６のステップＳ３１６、図１１のステップＳ３２６、および、図１５のステップＳ３３５で説明したように、視聴権利サーバ１１３，２１３，３１３によって、それぞれ、暗号化されたコンテンツ鍵を含むコンテンツ鍵受付フレームまたは視聴許可受付フレームが通信装置１０１，２０１，３０１に送信される。
【０３６５】
図７のステップＳ２１６、図１２のステップＳ２２５、および、図１６のステップＳ２３８で説明したように、コンテンツ再生機器１０２，２０２，３０２によって、それぞれ、公開鍵に対応する予め記憶された秘密鍵で、受信されたコンテンツ鍵受付フレームまたは視聴許可受付フレームに含まれるコンテンツ鍵が復号される。
【０３６６】
図７のステップＳ２１７、図１２のステップＳ２２６、および、図１６のステップＳ２３９で説明したように、コンテンツ再生機器１０２，２０２，３０２によって、それぞれ、復号されたコンテンツ鍵で、コンテンツが復号される。
【０３６７】
このため、コンテンツを復号するコンテンツ鍵がやり取りされるときの秘匿性をさらに向上させることができる。
【０３６８】
また、図６のステップＳ１１７および図１５のＳ１３４で説明したように、通信装置１０１，３０１によって、それぞれ、コンテンツ再生機器１０２，３０２から取得されたコンテンツ再生機器ＩＤを含むコンテンツ鍵要求フレームが視聴権利サーバ１１３，３１３に送信されることによって、コンテンツ再生機器ＩＤが提示される。
【０３６９】
図６のステップＳ３１３、ステップＳ３１４、ステップＳ４１１〜ステップＳ４１３、および、図１５のステップＳ３３２、ステップＳ３３３、ステップＳ４３１〜ステップＳ４３３で説明したように、視聴権利サーバ１１３，３１３によって、それぞれ、コンテンツ再生機器ＩＤが含まれる公開鍵要求フレームが機器証明局１０４，３０４の公開鍵サーバ１１５，３１５に送信され、公開鍵サーバ１１５，３１５によって、そのコンテンツ再生機器ＩＤに対応した公開鍵が存在して視聴権利サーバ１１３，３１３に送信されることによって、視聴権利サーバ１１３，３１３によって、通信装置１０１，３０１から提示されたコンテンツ再生機器ＩＤが適正であるか否かが判別される。
【０３７０】
図６のステップＳ３１４、ステップＳ３１６、および、図１５のステップＳ３３３、ステップＳ３３５で説明したように、視聴権利サーバ１１３，３１３によって、コンテンツ再生機器ＩＤが適正であると判別されたことを条件として、コンテンツ鍵受付フレームが通信装置１０１，３０１に送信される。
【０３７１】
このため、コンテンツ再生機器１０２，３０２が適正であるときにのみ視聴が許可される。その結果、適正なコンテンツ再生機器１０２，３０２でのみコンテンツを再生可能とすることができる。
【０３７２】
また、図１１のステップＳ２２２、ステップＳ４２１〜ステップＳ４２３、ステップＳ３２１で説明したように、視聴権利サーバ２１３によって、コンテンツ再生機器ＩＤが、コンテンツ再生機器ＩＤを含む機器ＩＤ通知フレームがコンテンツ再生機器２０２から機器証明局２０４に送信され、コンテンツ再生機器ＩＤを含む公開鍵通知フレームが機器証明局２０４から視聴権利サーバ２１３に送信されることによって、通信装置２０１を介する経路とは異なる経路、すなわち、機器証明局２０４を介する経路でコンテンツ再生機器２０２から取得される。
【０３７３】
図１１のステップＳ２２２、ステップＳ４２１〜ステップＳ４２３、ステップＳ３２１で説明したように、視聴権利サーバ２１３によって、コンテンツ再生機器ＩＤが含まれる機器ＩＤ通知フレームが機器証明局２０４の公開鍵サーバ２１５に送信され、公開鍵サーバ２１５によって、そのコンテンツ再生機器ＩＤに対応した公開鍵が存在して視聴権利サーバ２１３に送信されることによって、視聴権利サーバ２１３によって、取得されたコンテンツ再生機器ＩＤが適正であるか否かが判断される。
【０３７４】
図１１のステップＳ３２１、ステップＳ３２６で説明したように、視聴権利サーバ２１３によって、コンテンツ再生機器ＩＤが適正であると判別されたことを条件として、視聴許可受付フレームが通信装置２０１に送信される。
【０３７５】
このため、コンテンツ再生機器２０２が適正であるときのみ視聴が許可される。その結果、適正なコンテンツ再生機器２０２でのみコンテンツを再生可能とすることができる。
【０３７６】
また、図６のステップＳ３１６、図１１のステップＳ３２６、および、図１５のステップＳ３３５で説明したように、視聴権利サーバ１１３，２１３，３１３によって、コンテンツ鍵受付フレームまたは視聴許可受付フレームに、コンテンツのＵＲＩが含められて通信装置１０１，２０１，３０１に送信される。
【０３７７】
図７のステップＳ１１９、図１２のステップＳ１２８、および、図１６のステップＳ１３６で説明したように、通信装置１０１，２０１，３０１によって、コンテンツ鍵受付フレームまたは視聴許可受付フレームに含まれるＵＲＩが、視聴開始通知フレームに含められてコンテンツ再生機器１０２，２０２，３０２に送信される。
【０３７８】
図７のステップＳ２１５、図１２のステップＳ２２４、および、図１６のステップＳ２３７で説明したように、コンテンツ再生機器１０２，２０２，３０２によって、視聴開始通知フレームに含まれるＵＲＩで示されるコンテンツサーバ１１４，２１４，３１４からコンテンツが取得される。
【０３７９】
このため、視聴許可を取得する段階でコンテンツサーバ１１４，２１４，３１４のＵＲＩが取得されるので、コンテンツサーバ１１４，２１４，３１４のＵＲＩが予め特定されていなくても、コンテンツが取得されるようにできる。また、コンテンツサーバ１１４，２１４，３１４の負荷状況やコンテンツの種類などに応じて流動的にコンテンツを配信する装置を変更することができる。
【０３８０】
また、図６のステップＳ３１２、および、図１１のステップＳ３２４で説明したように、視聴権利サーバ１１３，２１３によって、通信装置１０１，２０１から提示された権利コードが適正であるか否かが判断される。
【０３８１】
図６のステップＳ３１２、ステップＳ３１６、および、図１１のステップＳ３２４、ステップＳ３２６で説明したように、視聴権利サーバ１１３，２１３によって、権利コードが適正であると判別されたことを条件として、コンテンツ鍵受付フレームまたは視聴許可受付フレームが通信装置１０１，２０１に送信される。
【０３８２】
このため、不正な権利コードが提示された場合には、視聴許可を与えないようにすることができる。その結果、さらに厳重に視聴権利を管理することが可能となる。
【０３８３】
本発明によると、コンテンツの視聴権利を入手した通信装置は、コピープロテクトなどの著作権管理の仕組みを有するコンテンツ再生機器ならどの機器であっても視聴することが可能となる。また、コンテンツの視聴権利を入手する際に視聴料金の支払いを合わせて済ませることが可能となる。
【０３８４】
また、コンテンツの視聴権利を管理することで、レンタルビデオの様な一定期間だけ視聴が可能というサービスを実現することができる。また、視聴料金を無料と設定することで、広告などのコンテンツを流通させることができ、さらにコンテンツ間に関係する情報を付与することで、ユーザの興味を引いた映画の広告コンテンツから実際の映画コンテンツ購入へとつなげることが可能となる。
【０３８５】
また、コンテンツデータに施された暗号化を解除するための鍵の情報をコンテンツ再生機器が持つ公開鍵暗号系の公開鍵で暗号化して通信路上を流すことによって高度なセキュリティを確保することができる。
【０３８６】
また、通信装置からコンテンツ再生機器に対して赤外線リモコンのような一方向の通信しかできない環境においても、上記の機能を実現することができる。また、集合住宅においてコンテンツ配信局と団体契約を結ぶことで、契約で定められた最大同時接続数までコンテンツの視聴を許可するようなシステムを実現することができる。
【０３８７】
なお、これまでに説明した実施の形態で挙げた通信装置やコンテンツ再生機器の例は限定的なものではない。通信装置は、携帯電話やＳＴＢだけに限らず、ノートＰＣ（Personal Computer）やＰＤＡ（Personal Digital Assistance）や携帯音楽プレーヤーや集合住宅に敷かれているインターネット網のゲートウェイサーバなどであってもよい。また、コンテンツ再生機器は、テレビだけに限らず、セットトップボックスやビデオデッキやＰＣや家庭用ゲーム機やカーステレオや街中に設置された大型表示パネルなどであってもよい。
【０３８８】
また、前述した実施の形態においては、コンテンツ配信システム１０，２０，３０のシステムとして発明を説明した。しかし、これに限定されず、通信装置１０１，２０１，３０１、コンテンツ再生機器１０２，２０２，３０２、または、視聴権利サーバ１１３，２１３，３１３の装置として発明を捉えることができる。また、通信装置１０１，２０１，３０１、コンテンツ再生機器１０２，２０２，３０２、または、視聴権利サーバ１１３，２１３，３１３で実行されるコンテンツ配信方法として発明を捉えることができる。さらに、通信装置１０１，２０１，３０１、コンテンツ再生機器１０２，２０２，３０２、または、視聴権利サーバ１１３，２１３，３１３で実行されるコンテンツ配信プログラムとして発明を捉えることができる。
【０３８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３９０】
【図１】本発明の第１の実施の形態におけるコンテンツ配信システムの構成を示すブロック図である。
【図２】第１の実施の形態における通信装置で実行される視聴権利購入処理、および、コンテンツ配信局で実行される視聴権利販売処理の流れを示すフローチャートである。
【図３】提供コンテンツのリスト情報をビデオサーバから取得するケースを説明するための図である。
【図４】提供コンテンツのリスト情報を広告サーバから取得するケースを説明するための図である。
【図５】コンテンツの視聴権利が、直接、携帯電話に送られてくるケースを説明するための図である。
【図６】第１の実施の形態におけるコンテンツ配信システムで実行されるコンテンツの再生のための処理の流れを示す第１のフローチャートである。
【図７】第１の実施の形態におけるコンテンツ配信システムで実行されるコンテンツの再生のための処理の流れを示す第２のフローチャートである。
【図８】第１の実施の形態における、通信装置が所有する視聴権利をコンテンツ再生機器に与えることでコンテンツを再生する例を説明するための図である。
【図９】第１の実施の形態の第２の変形例における通信装置で実行される視聴権利表示処理の流れを示すフローチャートである。
【図１０】本発明の第２の実施の形態におけるコンテンツ配信システムの構成を示すブロック図である。
【図１１】第２の実施の形態におけるコンテンツ配信システムで実行されるコンテンツの再生のための処理の流れを示す第１のフローチャートである。
【図１２】第２の実施の形態におけるコンテンツ配信システムで実行されるコンテンツの再生のための処理の流れを示す第２のフローチャートである。
【図１３】第２の実施の形態における、通信装置が所有する視聴権利をコンテンツ再生機器に与えることでコンテンツを再生する例を説明するための図である。
【図１４】本発明の第３の実施の形態におけるコンテンツ配信システム３０の構成を示すブロック図である。
【図１５】第３の実施の形態におけるコンテンツ配信システムで実行されるコンテンツの再生のための処理の流れを示す第１のフローチャートである。
【図１６】第３の実施の形態におけるコンテンツ配信システムで実行されるコンテンツの再生のための処理の流れを示す第２のフローチャートである。
【図１７】本発明の実施の形態における、通信装置が所有する視聴権利を用いてコンテンツ再生機器でコンテンツを再生する例を説明するための図である。
【図１８】本発明の実施の形態における、通信装置が所有する視聴権利を用いてコンテンツ再生機器でコンテンツを再生し再生が終了した後の例を説明するための図である。
【図１９】第１の実施の形態の第１の変形例における、通信装置が所有する視聴権利をコンテンツ再生機器に与えることでコンテンツを再生する例を説明するための図である。
【図２０】第２の実施の形態の第１の変形例における、通信装置が所有する視聴権利をコンテンツ再生機器に与えることでコンテンツを再生する例を説明するための図である。
【符号の説明】
【０３９１】
１０，１０Ａ〜１０Ｅ，２０，２０Ａ，２０Ｂ，３０，３０Ａ  コンテンツ配信システム、１０１，２０１，３０１  通信装置、１０１Ａ，２０１Ａ  携帯電話、３０１Ａ  ＳＴＢ、１０２，２０２，３０２Ｂ，３０２Ｃ  コンテンツ再生機器、１０２Ａ，２０２Ａ，３０２Ａ  テレビ、１０２Ｂ，２０２Ｂ  セットトップボックス、１０３，２０３，３０３  コンテンツ配信局、１０３Ａ，２０３Ａ，３０３Ａ  ビデオサーバ、１０４，２０４，３０４  機器証明局、１０４Ａ，２０４Ａ，３０４Ａ  テレビ製造元会社のサーバ、１０５，２０５，３０５Ｂ，３０５Ｃ  制御部、１０６，２０６，３０６  第１通信部、１０７，２０７，３０７  第２通信部、１０８，２０８，３０８  権利管理部、１０９，２０９，３０９Ｂ，３０９Ｃ  第２通信部、１１０，２１０  第３通信部、１１１，２１１，３１１Ｂ，３１１Ｃ  秘密鍵管理部、１１２，２１２，３１２Ｂ，３１２Ｃ  再生処理部、１１３，２１３，３１３  視聴権利サーバ、１１４，２１４，３１４  コンテンツサーバ、１１５，２１５，３１５  公開鍵サーバ、１１６Ａ，１１６Ｂ  広告サーバ、３１７Ａ  リモコン、１１８，２１８  モニタ、５００  ＬＡＮ。
【図１】
0004846537.tif 000022
【図２】
0004846537.tif 000023
【図３】
0004846537.tif 000024
【図４】
0004846537.tif 000025
【図５】
0004846537.tif 000026
【図６】
0004846537.tif 000027
【図７】
0004846537.tif 000028
【図８】
0004846537.tif 000029
【図９】
0004846537.tif 000030
【図１０】
0004846537.tif 000031
【図１１】
0004846537.tif 000032
【図１２】
0004846537.tif 000033
【図１３】
0004846537.tif 000034
【図１４】
0004846537.tif 000035
【図１５】
0004846537.tif 000036
【図１６】
0004846537.tif 000037
【図１７】
0004846537.tif 000038
【図１８】
0004846537.tif 000039
【図１９】
0004846537.tif 000040
【図２０】
0004846537.tif 000041